(57)【特許請求の範囲】
【請求項１】
押操作される押釦ハンドルを前面に備え押釦ハンドルの押操作毎に単極単投の接点を交互に反転させるスイッチ機構部を埋込型配線器具に用いる取付枠に取付可能な器体に収納したスイッチ本体と、器体の前面側に押釦ハンドルに対向する形で配置され一端部が器体に枢着されるとともに裏面が押釦ハンドルに当接したピアノハンドルとを設け、前記器体を、両側部に端子が収納されるとともに中央部にスイッチ機構部が収納された前面開口するボディと、ボディの開口側に覆着され前記押釦ハンドルの一部が前面に突出した後面開口するカバーとで形成し、ボディの後面を略一平面上に形成し、前記端子を、スイッチ機構部に電気的に接続した端子板と、ボディの後面に開口する電線挿入口を通して器体に挿入される電線を端子板との間で保持する鎖錠ばねとで構成し、電線挿入口から器体に挿入される電線の延長方向において端子板の一部をボディの開口面からカバー側に突出させる形で端子を器体に収納し、カバーの内周面には端子板の前面に当接することにより端子板のカバー側への浮き上がりを防止する押さえ用ボスを突設したことを特徴とするピアノハンドル式スイッチ。
【請求項２】
位置表示のために点灯する位置表示灯を前記器体に収納したことを特徴とする請求項１記載のピアノハンドル式スイッチ。
【請求項３】
前記接点の一端に接続された端子と接点に接続されていない別の端子との間に接続されたオン確認灯を前記器体に収納したことを特徴とする請求項１記載のピアノハンドル式スイッチ。
【請求項４】
前記スイッチ機構部に、カバーに揺動可能に保持され揺動に伴って接点を交互に反転させる反転ハンドルと、前記押釦ハンドルの押操作毎に反転ハンドルを交互に反対向きに揺動させる変換機構部とを設け、反転ハンドルの反転に伴って器体の前面から進退する入切駆動片を反転ハンドルに一体に設け、前記ピアノハンドルに、ピアノハンドルの裏面に沿って規定の２位置の間で摺動する表示体と、表示体を前記２位置のうちの一方の位置に向かって付勢する復帰ばねとを設け、前記表示体の裏面に、入切駆動片が器体の前面側に突出するときに入切駆動片に当接し復帰ばねのばね力に抗して表示体を前記２位置のうちの他方の位置に向かって移動させるように傾斜する傾斜面を有した入切突起を突設するとともに、入切駆動片が器体の前面に突出して前記表示体が前記２位置のうちの他方の位置に位置するときに入切駆動片の先端部に係止されて表示体の移動を阻止するようにロックするロック部を設けたことを特徴とする請求項１記載のピアノハンドル式スイッチ。
【請求項５】
位置表示のために点灯する位置表示灯を前記器体に収納したことを特徴とする請求項４記載のピアノハンドル式スイッチ。
【請求項６】
前記接点の一端に接続された端子と接点に接続されていない別の端子との間に接続されたオン確認灯を前記器体に収納したことを特徴とする請求項４記載のピアノハンドル式スイッチ。
【請求項７】
押操作される押釦ハンドルを前面に備え押釦ハンドルの押操作毎に単極双投の接点を交互に反転させるスイッチ機構部を埋込型配線器具に用いる取付枠に取付可能な器体に収納したスイッチ本体と、器体の前面側に押釦ハンドルに対向する形で配置され一端部が器体に枢着されるとともに裏面が押釦ハンドルに当接したピアノハンドルとを設け、前記器体を、両側部に端子が収納されるとともに中央部にスイッチ機構部が収納された前面開口するボディと、ボディの開口側に覆着され前記押釦ハンドルの一部が前面に突出した後面開口するカバーとで形成し、ボディの後面を略一平面上に形成し、前記端子を、スイッチ機構部に電気的に接続した端子板と、ボディの後面に開口する電線挿入口を通して器体に挿入される電線を端子板との間で保持する鎖錠ばねとで構成し、電線挿入口から器体に挿入される電線の延長方向において端子板の一部をボディの開口面からカバー側に突出させる形で端子を器体に収納し、カバーの内周面には端子板の前面に当接することにより端子板のカバー側への浮き上がりを防止する押さえ用ボスを突設したことを特徴とするピアノハンドル式スイッチ。
【請求項８】
位置表示のために点灯する位置表示灯を前記器体に収納したことを特徴とする請求項７記載のピアノハンドル式スイッチ。
【請求項９】
前記スイッチ機構部に、カバーに揺動可能に保持され揺動に伴って接点を交互に反転させる反転ハンドルと、前記押釦ハンドルの押操作毎に反転ハンドルを交互に反対向きに揺動させる変換機構部とを設け、反転ハンドルの反転に伴って器体の前面から進退する入切駆動片を反転ハンドルに一体に設け、前記ピアノハンドルに、ピアノハンドルの裏面に沿って規定の２位置の間で摺動する表示体と、表示体を前記２位置のうちの一方の位置に向かって付勢する復帰ばねとを設け、前記表示体の裏面に、入切駆動片が器体の前面側に突出するときに入切駆動片に当接し復帰ばねのばね力に抗して表示体を前記２位置のうちの他方の位置に向かって移動させるように傾斜する傾斜面を有した入切突起を突設するとともに、入切駆動片が器体の前面に突出して前記表示体が前記２位置のうちの他方の位置に位置するときに入切駆動片の先端部に係止されて表示体の移動を阻止するようにロックするロック部を設けたことを特徴とする請求項７記載のピアノハンドル式スイッチ。
【請求項１０】
位置表示のために点灯する位置表示灯を前記器体に収納したことを特徴とする請求項９記載のピアノハンドル式スイッチ。
【請求項１１】
前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の中央部の１組の器具取付手段に取着され、前記取付枠の前面側には前記窓孔より長寸かつ広幅の開口窓を有するプレートが付設され、前記ピアノハンドルがプレートの開口窓の略全部を閉塞する大きさに形成され、前記取付枠の長手方向において前記器体の中央にピアノハンドルの中央を対向させる形で上記プレートの開口内に前記ピアノハンドルが配置されることを特徴とする請求項１ないし請求項１０のいずれか１項に記載のピアノハンドル式スイッチ。
【請求項１２】
前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の長手方向の両端の２組の器具取付手段にそれぞれ取着され、前記取付枠の前面側には前記窓孔より長寸かつ広幅の開口窓を有するプレートが付設され、前記ピアノハンドルがプレートの開口窓を半分ずつ閉塞する大きさに形成され、前記取付枠の長手方向において前記各器体の中央に各ピアノハンドルの中央をそれぞれ対向させる形で上記プレートの開口内に前記ピアノハンドルが配置されることを特徴とする請求項１ないし請求項１０のいずれか１項に記載のピアノハンドル式スイッチ。
【請求項１３】
前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の３組の器具取付手段にそれぞれ取着され、前記取付枠の前面側には前記窓孔より長寸かつ広幅の開口窓を有するプレートが付設され、前記ピアノハンドルがプレートの開口窓を３分の１ずつ閉塞する大きさに形成され、前記取付枠の長手方向において前記各器体の中央に各ピアノハンドルの中央を対向させる形で上記プレートの開口内に前記ピアノハンドルが配置されることを特徴とする請求項１ないし請求項１０のいずれか１項に記載のピアノハンドル式スイッチ。
【発明の詳細な説明】
【０００１】
【発明の属する技術分野】
本発明は、ピアノハンドルの押操作によって接点を反転させるピアノハンドル式スイッチに関するものである。
【０００２】
【従来の技術】
従来から、押操作可能な押釦ハンドルを有するスイッチ本体の前面側に、スイッチ本体に一端部が枢着され裏面が押釦ハンドルに当接する形でピアノハンドルを配置したピアノハンドル式スイッチが提供されている。ピアノハンドルはピアノの鍵盤と同様に一端部を支点として他端部を押し込むことができる構成になっている。また、ピアノハンドルは押釦ハンドルよりも操作面が大型であって、指以外の部位を用いて押操作することも可能になっている。
【０００３】
ところで、スイッチ本体１は図１１６に示すように、器体５に対して揺動自在に保持された反転ハンドル３１を備え、反転ハンドル３１の揺動によって接点が反転するように構成されている。また、反転ハンドル３１には押釦ハンドル３２の押操作が反転機構部を介して伝達され、押釦ハンドル３２の押操作毎に反転ハンドル３１が交互に反対方向に揺動される。反転ハンドル３１と接点とからなるスイッチ機構部は、器体５の左右方向の中央部に収納され、スイッチ機構部を挟んで器体５の左右両側部にはそれぞれ端子が収納される。端子は、コ字状の端子板１５，１８と、器体５の後面（図１１６の下面）に開口する電線挿入口１３ａ（図５参照），１４ａを通して器体５に導入された電線を端子板１５，１８との間で保持する鎖錠ばね１６，１９とを備える。つまり、この端子は電線を電線挿入口１３ａ，１４ａに挿入するだけで鎖錠ばね１６，１９により電線の抜止および接続とが可能になるものであって速結端子と呼ばれている。
【０００４】
この種の速結端子では、電線との電気的接続状態を確保しかつ電線に作用する張力に抗して抜止を確実に行うには、電線挿入口１３ａ，１４ａからの電線の挿入長さが所定長以上でなければならない。つまり、速結端子において所要の電気的性能および機械的性能を得るために、絶縁被覆電線である電線の先端部において絶縁被覆を剥ぐ長さ寸法は一定寸法に規定されている。言い換えると、電線挿入口１３ａ，１４ａからの端子板１５，１８の高さ寸法は電線の挿入長さ以上が必要になる。
【０００５】
一方、図１１６に示す器体５は埋込型配線器具を施工する際に用いる取付枠に取着可能となるように形成されており、この種の器体５ではスイッチボックスのような埋込ボックスの中での電線の引き回しが容易になるように、器体５の前後方向（図１１６の上下方向）の寸法をできるだけ小さくするのが望ましい。つまり、器体５の前後方向の寸法が小さいほど、スイッチボックスの後壁と器体５の後面との間の空間が大きくなり、この空間内で曲げられる電線の収納が容易になる。
【０００６】
【発明が解決しようとする課題】
ところで、器体１はスイッチ機構部が収納された前面開口するボディ５ｂと、押釦ハンドル３２の一部が前面に突出した後面開口するカバー５ａとを結合して構成されており、端子板１５，１８および鎖錠ばね１６，１９からなる端子もボディ５ｂに収納されている。ここで、端子板１５，１８は前面がボディ５ｂの前面に略一致するようにボディ５ｂ内に収納されている。
【０００７】
上述したように、施工性から言えば器体５の前後方向の寸法はできるだけ小さくすることが望ましいが、速結端子では器体内に電線を挿入する一定寸法挿入しなければならないから、端子板１５，１８の前後方向の寸法を小さくすることはできない。したがって、上述した構成では器体１の前後方向の寸法をこれ以上縮小することはできず、施工性においてやや難点がある。
【０００８】
本発明は上記事由に鑑みて為されたものであり、その目的は、器体の前後方向の寸法を従来構成よりも縮小したピアノハンドル式スイッチを提供することにある。
【０００９】
【課題を解決するための手段】
請求項１の発明は、押操作される押釦ハンドルを前面に備え押釦ハンドルの押操作毎に単極単投の接点を交互に反転させるスイッチ機構部を埋込型配線器具に用いる取付枠に取付可能な器体に収納したスイッチ本体と、器体の前面側に押釦ハンドルに対向する形で配置され一端部が器体に枢着されるとともに裏面が押釦ハンドルに当接したピアノハンドルとを設け、前記器体を、両側部に端子が収納されるとともに中央部にスイッチ機構部が収納された前面開口するボディと、ボディの開口側に覆着され前記押釦ハンドルの一部が前面に突出した後面開口するカバーとで形成し、ボディの後面を略一平面上に形成し、前記端子を、スイッチ機構部に電気的に接続した端子板と、ボディの後面に開口する電線挿入口を通して器体に挿入される電線を端子板との間で保持する鎖錠ばねとで構成し、電線挿入口から器体に挿入される電線の延長方向において端子板の一部をボディの開口面からカバー側に突出させる形で端子を器体に収納し、カバーの内周面には端子板の前面に当接することにより端子板のカバー側への浮き上がりを防止する押さえ用ボスを突設したものである。
【００１０】
請求項２の発明は、請求項１の発明において、位置表示のために点灯する位置表示灯を前記器体に収納したものである。
【００１１】
請求項３の発明は、請求項１の発明において、前記接点の一端に接続された端子と接点に接続されていない別の端子との間に接続されたオン確認灯を前記器体に収納したものである。
【００１２】
請求項４の発明は、請求項１の発明において、前記スイッチ機構部に、カバーに揺動可能に保持され揺動に伴って接点を交互に反転させる反転ハンドルと、前記押釦ハンドルの押操作毎に反転ハンドルを交互に反対向きに揺動させる変換機構部とを設け、反転ハンドルの反転に伴って器体の前面から進退する入切駆動片を反転ハンドルに一体に設け、前記ピアノハンドルに、ピアノハンドルの裏面に沿って規定の２位置の間で摺動する表示体と、表示体を前記２位置のうちの一方の位置に向かって付勢する復帰ばねとを設け、前記表示体の裏面に、入切駆動片が器体の前面側に突出するときに入切駆動片に当接し復帰ばねのばね力に抗して表示体を前記２位置のうちの他方の位置に向かって移動させるように傾斜する傾斜面を有した入切突起を突設するとともに、入切駆動片が器体の前面に突出して前記表示体が前記２位置のうちの他方の位置に位置するときに入切駆動片の先端部に係止されて表示体の移動を阻止するようにロックするロック部を設けたものである。
【００１３】
請求項５の発明は、請求項４の発明において、位置表示のために点灯する位置表示灯を前記器体に収納したものである。
【００１４】
請求項６の発明は、請求項４の発明において、前記接点の一端に接続された端子と接点に接続されていない別の端子との間に接続されたオン確認灯を前記器体に収納したものである。
【００１５】
請求項７の発明は、押操作される押釦ハンドルを前面に備え押釦ハンドルの押操作毎に単極双投の接点を交互に反転させるスイッチ機構部を埋込型配線器具に用いる取付枠に取付可能な器体に収納したスイッチ本体と、器体の前面側に押釦ハンドルに対向する形で配置され一端部が器体に枢着されるとともに裏面が押釦ハンドルに当接したピアノハンドルとを設け、前記器体を、両側部に端子が収納されるとともに中央部にスイッチ機構部が収納された前面開口するボディと、ボディの開口側に覆着され前記押釦ハンドルの一部が前面に突出した後面開口するカバーとで形成し、ボディの後面を略一平面上に形成し、前記端子を、スイッチ機構部に電気的に接続した端子板と、ボディの後面に開口する電線挿入口を通して器体に挿入される電線を端子板との間で保持する鎖錠ばねとで構成し、電線挿入口から器体に挿入される電線の延長方向において端子板の一部をボディの開口面からカバー側に突出させる形で端子を器体に収納し、カバーの内周面には端子板の前面に当接することにより端子板のカバー側への浮き上がりを防止する押さえ用ボスを突設したものである。
【００１６】
請求項８の発明は、請求項７の発明において、位置表示のために点灯する位置表示灯を前記器体に収納したものである。
【００１７】
請求項９の発明は、請求項７の発明において、前記スイッチ機構部に、カバーに揺動可能に保持され揺動に伴って接点を交互に反転させる反転ハンドルと、前記押釦ハンドルの押操作毎に反転ハンドルを交互に反対向きに揺動させる変換機構部とを設け、反転ハンドルの反転に伴って器体の前面から進退する入切駆動片を反転ハンドルに一体に設け、前記ピアノハンドルに、ピアノハンドルの裏面に沿って規定の２位置の間で摺動する表示体と、表示体を前記２位置のうちの一方の位置に向かって付勢する復帰ばねとを設け、前記表示体の裏面に、入切駆動片が器体の前面側に突出するときに入切駆動片に当接し復帰ばねのばね力に抗して表示体を前記２位置のうちの他方の位置に向かって移動させるように傾斜する傾斜面を有した入切突起を突設するとともに、入切駆動片が器体の前面に突出して前記表示体が前記２位置のうちの他方の位置に位置するときに入切駆動片の先端部に係止されて表示体の移動を阻止するようにロックするロック部を設けたものである。
【００１８】
請求項１０の発明は、請求項９の発明において、位置表示のために点灯する位置表示灯を前記器体に収納したものである。
【００１９】
請求項１１の発明は、請求項１ないし請求項１０の発明において、前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の中央部の１組の器具取付手段に取着され、前記取付枠の前面側には前記窓孔より長寸かつ広幅の開口窓を有するプレートが付設され、前記ピアノハンドルがプレートの開口窓の略全部を閉塞する大きさに形成され、前記取付枠の長手方向において前記器体の中央にピアノハンドルの中央を対向させる形で上記プレートの開口内に前記ピアノハンドルが配置されるものである。
【００２０】
請求項１２の発明は、請求項１ないし請求項１０の発明において、前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の長手方向の両端の２組の器具取付手段にそれぞれ取着され、前記取付枠の前面側には前記窓孔より長寸かつ広幅の開口窓を有するプレートが付設され、前記ピアノハンドルがプレートの開口窓を半分ずつ閉塞する大きさに形成され、前記取付枠の長手方向において前記各器体の中央に各ピアノハンドルの中央をそれぞれ対向させる形で上記プレートの開口内に前記ピアノハンドルが配置されるものである。
【００２１】
請求項１３の発明は、請求項１ないし請求項１０の発明において、前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の３組の器具取付手段にそれぞれ取着され、前記取付枠の前面側には前記窓孔より長寸かつ広幅の開口窓を有するプレートが付設され、前記ピアノハンドルがプレートの開口窓を３分の１ずつ閉塞する大きさに形成され、前記取付枠の長手方向において前記各器体の中央に各ピアノハンドルの中央を対向させる形で上記プレートの開口内に前記ピアノハンドルが配置されるものである。
【００２２】
【発明の実施の形態】
（第１の実施の形態）
本実施形態のピアノハンドル式スイッチは、図１６に示すように、押釦ハンドル３２を備え押操作毎に接点を反転させるスイッチ本体１と、スイッチ本体１の前面（図１６の上面）に対向する形で配設され一端部がスイッチ本体１に枢着されるとともに押釦ハンドル３２を押し込み可能なピアノハンドル４３とを備える。スイッチ本体１の器体５は矩形枠状であって器具取付用の窓孔２ａを有した取付枠２に保持される。また、取付枠２の前面側には取付枠２の窓孔２ａよりも長寸かつ広幅の開口窓１２０ａ，１３０ａを備えるプレート（プレート枠１２０および化粧プレート１３０）が重ね合わせて配置される。取付枠２は器具取付手段としての器具取付孔２ｂを長手方向において３組備える。
【００２３】
以下では、まずスイッチ本体１について図１ないし図９を用いて説明する。スイッチ本体１の器体５は直方体状であって、ともに合成樹脂成形品である前面開口したボディ５ｂと、ボディ５ｂの前面側に結合される後面開口したカバー５ａとにより形成される。すなわち、カバー５ａの短手方向の両側壁の後縁からは後方に向かって組立片３が延設され、組立片３に設けた組立孔４がボディ５ｂの短手方向の両側面に形成してある組立突起６に係合することによりボディ５ｂとカバー５ａとが結合される。組立突起６にはボディ５ｂからの突出寸法をカバー５ａに近い側ほど小さくする傾斜面６ａが形成され、カバー５ａをボディ５ｂに近付けるように力を作用させるだけで組立片３が組立突起６に簡単に結合されるようにしてある。
【００２４】
器体５の短手方向の寸法は、大角連用形（ＪＩＳ  Ｃ８３０４参照）と称する埋込型の配線器具の施工時に用いる取付枠に３個まで取着可能な寸法に形成してある。つまり、上述した取付枠２の窓孔２ａの長手方向の寸法は埋込型の配線器具の施工時に用いる取付枠の窓孔の長手方向の寸法と等しく設定してあり、したがって、本実施形態に示すスイッチ本体１の器体５の短手方向の寸法は取付枠２の窓孔２ａの長手方向の寸法の略３分の１の寸法になる。この寸法を大角連用形の配線器具と同様に、「１個モジュール寸法」と呼ぶ。
【００２５】
一方、器体５の長手方向の寸法は窓孔２ａの短手方向の寸法に略等しく、器体５の前部を形成するカバー５ａの長手方向の各側面には、取付枠２の窓孔２ａを囲む部位に設けた上記器具取付孔２ｂに係合可能な取付爪１１ａ，１１ｂがそれぞれ一対ずつ突設してあり、取付爪１１ａ，１１ｂが器具取付孔２ｂに係合することによって器体５が取付枠２に保持されるようにしてある。カバー５ａの長手方向の一方の側壁には後端が開放された前後方向の２本の切り込み溝１１ｃが形成され、両切り込み溝１１ｃの間の部位は厚み方向に可撓性を有する撓み片１１ｄを形成している。カバー５ａ内において撓み片１１ｄの裏面側には空所１２が形成され、撓み片１１ｄをカバー５ａの内側に撓ませることによって取付爪１１ａをカバー５ａの側面から弾性的に後退させることが可能になっている。
【００２６】
したがって、カバー５ａの長手方向の一方の側面に設けた取付爪１１ｂを取付枠２の器具取付孔２ｂに挿入するとともに、取付爪１１ａをカバー５ａの側面から後退させるようにして取付枠２の窓孔２ａに器体５を挿入すれば、器具取付孔２ｂに取付爪１１ａが挿入されて器体５が取付枠２に保持される。また、撓み片１１ｄをカバー５ａに押し込むようにすれば、取付爪１１ａが器具取付孔２ｂから抜け、取付枠２から器体５を取り外すことができる。撓み片１１ｄの後端部外側面には撓み片１１ｄの押し込みを容易にするために押突起１１ｅが突設されている。取付枠２は後述するように埋込型の配線器具と同様に壁面などの施工面に取り付けられ、器体５の後部は施工面に埋設される。
【００２７】
ところで、ボディ５ｂの内部空間は長手方向において３室に区画され、両側の区画は端子が収納される端子収納室１３，１４となり、中央部はスイッチ機構部が収納される中央収納室２３を形成している。端子収納室１３には端子板１５と２個の鎖錠ばね１６と解除釦１７とからなる端子が収納され、端子収納室１４には端子板１８と２個の鎖錠ばね１９と解除釦２１とからなる端子が収納される。また、端子収納室１３，１４に対応するボディ５ｂの後壁には、図５、図７に示すように、各一対の電線挿入口１３ａ，１４ａが貫設され、各一対の電線挿入口１３ａ，１４ａの近傍にはそれぞれ１個ずつの解除孔１３ｂ，１４ｂが貫設される。
【００２８】
鎖錠ばね１６，１９は、弾性を有する導電性金属の帯板の両端部をそれぞれ曲成することにより、中央片１６ｃ，１９ｃの両端部に鎖錠片１６ａ，１９ａと接触片１６ｂ，１９ｂとをそれぞれ形成したものである。鎖錠片１６ａ，１９ａはＪ字状に曲成され、中央片１６ｃ，１９ｃとの連結部位から先端に向かって中央片１６ｃ，１９ｃとの距離を広げるように傾斜する。また、接触片１６ｂ，１９ｂはＳ字状に曲成され、中央片１６ｃ，１９ｃの厚み方向に弾性を有している。
【００２９】
一方、各端子板１５，１８は、前片１５ａ，１８ａと、前片１５ａ，１８ａの後方に位置して互いに対向する押さえ片１５ｂ，１８ｂおよび当接片１５ｃ，１８ｃとを備える。鎖錠ばね１６，１９の中央片１６ｃ，１９ｃは平板状であり、端子板１５，１８の当接片１５ｃ，１８ｃに当接し、鎖錠片１６ａ，１９ａおよび接触片１６ｂ，１９ｂを押さえ片１５ｂ，１８ｂに対向させる。端子板１５，１８および鎖錠ばね１６，１９と電線挿入口１３ａ，１４ａとの位置関係は、上述した電線挿入口１３ａ，１４ａから器体５に導入される電線が鎖錠ばね１６，１９の鎖錠片１６ａ，１９ａおよび接触片１６ｂ，１９ｂと端子板１５，１８の押さえ片１５ｂ，１８ｂとの間に挿入されるように設定されている。したがって、器体５に電線が挿入されると、鎖錠片１６ａ，１９ａおよび接触片１６ｂ，１９ｂと端子板１５，１８の押さえ片１５ｂ，１８ｂとの間で電線が挟持され、鎖錠片１６ａ，１９ａの先端が電線の芯線に食い込んで抜止がなされるとともに、鎖錠片１６ａ，１９ａおよび接触片１６ｂ，１９ｂによって電線の芯線と端子板１５，１８との電気的接続がなされる。鎖錠ばね１６，１９のばね力を利用して端子ねじを用いることなく電線を接続することができるこの種の構造の端子は速結端子と呼ばれている。速結端子において電線の機械的接続状態および電気的接続状態として所要の性能を得るには、電線挿入口１３ａ，１４ａへの電線の挿入量を一定にする必要がある。そこで、電線の絶縁被覆を剥く量が一定であるか否かを簡単に確認することができるように、ボディ５ｂの後面にはゲージ溝２２が形成されている。絶縁被覆を剥くときには電線の端部をゲージ溝２２に合わせて絶縁被覆を剥く量を確認すればよい。
【００３０】
解除釦１７，２１はユリア樹脂のような熱硬化性樹脂を用いて形成され、後部を解除孔１３ｂ，１４ｂに臨ませる形でボディ５ｂの各端子収納室１３，１４にそれぞれ収納される。解除釦１７，２１の一部は鎖錠ばね１６，１９の鎖錠片１６ａ，１９ａに接触可能であって、解除孔１３ｂ，１４ｂを通してマイナスドライバのような工具の先端部で解除釦１７，２１を押操作すれば、鎖錠片１６ａ，１９ａを端子板１５，１８の押さえ片１５ｂ，１８ｂから引き離して電線の保持力を弱め、この状態で電線を引き抜くことができる。ここに、各解除釦１７，２１は各端子板１５，１８に対応する各一対の鎖錠ばね１６，１９にそれぞれ跨るように配置され、各端子板１５，１８に対応する２個ずつの鎖錠ばね１６，１９の鎖錠片１６ａ，１９ａを同時に押すことができるようになっている。
【００３１】
端子収納室１４に収納される端子板１８には、中央収納室２３に挿入される接点保持片１８ｄが一体に形成してあり、接点保持片１８ｄの先端部には中央収納室２３内で固定接点２５が設けられる。また、端子収納室１３に収納される端子板１５には、中央収納室２３まで延長される連絡片１５ｄが延出してあり、連絡片１５ｄの先端部には中央収納室２３の後壁内周面に沿って配置される支持片１５ｅが形成されている。連絡片１５ｄは当接片１５ｃよりも押さえ片１５ｂよりに位置するように形成され、中央収納室２３内に配置される接点保持片１８ｄとの絶縁距離を比較的大きくとってある。支持片１５ｅには平板状の導電板からなる開閉子２４の後端縁が当接する。開閉子２４の後部両側縁には突部２８が突設され、突部２８は中央収納室２３内で設けた前端側が広いＶ字状の位置規制凹部２７に挿入される。したがって、開閉子２４は支持片１５ｅに後端縁が接触した状態で後縁を中心として位置規制凹部２７の範囲内で回動可能になる。開閉子２４は接点保持片１８ｄに対向するように配置され、接点保持片１８ｄに設けた固定接点２５との対向部位には固定接点２５とともに接点１００を構成する可動接点２９を設けてある。つまり、開閉子２４が回動することにより、可動接点２９が固定接点２５に接離し、端子板１５と端子板１８とを電気的に接続する状態と分離する状態とが選択される。
【００３２】
上述のように、端子収納室１３，１４に収納された各一対の鎖錠ばね１６，１９はそれぞれ１つの端子板１５，１８に対応して配置されているから、各一対の鎖錠ばね１６，１９はそれぞれ電気的に接続されている。つまり、接点１００の開閉によって端子収納室１３に収納された端子板１５に対応する２個の鎖錠ばね１６と端子収納室１４に収納された端子板１８に対応する２個の鎖錠ばね１９との導通、非導通が同時に切り換えられるから、２個ずつ設けられている鎖錠ばね１６，１９の一方を送り配線用の端子として用いることができる。
【００３３】
ここにおいて、本実施形態ではボディ５ｂの前端の開口面よりも端子板１５，１８の前片１５ａ，１８ａのほうが前方に突出するように端子板１５，１８を配置してあり、端子板１５，１８への電線の挿入量は従来構成と同寸法を確保しながらも、ボディ５ｂの前後方向の寸法を従来構成よりも小さくしている。また、カバー５ａについては前後方向の寸法を従来構成と同程度としているが、端子板１５，１８がカバー５ａ側に浮き上がらないようにするために、カバー５ａの内周面には端子板１５，１８の前片１５ａ，１８ａに当接する押さえ用ボス５３が形成されている。このような構成によって、電線挿入口１３ａ，１４ａの近傍における器体５の前後方向の寸法は従来構成よりも小さくなる。また、本実施形態においては、ボディ５ｂの前面開口から端子板１５，１８を突出させる寸法は、ボディ５ｂの後面が略一平面になる程度に設定される。
【００３４】
ところで、両端子板１５，１８の間にはネオンランプからなる位置表示灯Ｌ１と限流用の抵抗Ｒ１とを備えた表示ブロックＢ１が接続される。表示ブロックＢ１は、３枚の導電板６１〜６３を同時一体に成形した合成樹脂成形品であるブロック本体６０を備える。ブロック本体６０は前方から見てコ字状に形成され、導電板６１の一端部をへ字状に折曲して形成した接触子６１ａをブロック本体６０の一方の脚片の先端から突出させ、導電板６１の他端部を断面Ｕ字状に曲成したかしめ部６１ｂを上記一方の脚片の基部に突出させてある。また、導電板６２の一端部をへ字状に折曲して形成した接触子６２ａをブロック本体６０の中央片から突出させ、導電板６２の他端部を断面Ｕ字状に曲成したかしめ部６２ｂをブロック本体６０の一側面から突出させてある。ブロック本体６０の同じ側面には導電板６３の一端部を断面Ｕ字状に曲成したかしめ部６３ｂも突出する。導電板６３は他端部にも断面Ｕ字状に曲成したかしめ部６３ａを備え、かしめ部６３ａはブロック本体６０の他方の脚片の基部に突出させてある。抵抗Ｒ１はかしめ部６１ｂとかしめ部６３ａとにかしめて接続され、位置表示灯Ｌ１はかしめ部６２ｂとかしめ部６３ｂとにかしめて接続される。
【００３５】
ブロック本体６０は端子収納室１４に対応する部位でカバー５ａに収納され、ブロック本体６０から突出する２本の接触子６１ａ，６２ａは端子板１５，１８の前片１５ａ，１８ａにそれぞれ接触するように配置される。すなわち、カバー５ａの長手方向の一端部には後面開口した収納凹所５５が形成され、収納凹所５５にブロック本体６０が収納される。収納凹所５５の一方の壁面である仕切壁５５ａには収納凹所５５側に突出する一対の突条部５５ｂ（図９参照）が設けてあり、突条部５５ｂはブロック本体６０を収納凹所５５に収納するとブロック本体６０の脚片の先端に圧接するように形成されている。したがって、収納凹所５５にブロック本体６０を収納すれば、ブロック本体６０はカバー５ａに仮保持され、カバー５ａをボディ５ｂに結合する際にブロック本体６０を押さえる必要がなく結合作業を容易に行うことができる。
【００３６】
ブロック本体６０をカバー５ａに仮保持させた状態でカバー５ａをボディ５ｂに結合すれば、接触子６１ａの先端部が端子板１５の前片１５ａに弾接し、接触子６２ａの先端部が端子板１８の前片１８ａに弾接する。つまり、抵抗Ｒ１と位置表示灯Ｌ１との直列回路が両端子板１５，１８の間に挿入されることになる。したがって、スイッチ本体１の内部回路を図示すれば図１０のようになる。本実施形態では固定接点２５と可動接点２９とを１個ずつ備えた単極単投（いわゆる片切）の接点１００を構成しており、抵抗Ｒ１と位置表示灯Ｌ１との直列回路が接点１００に並列接続されるのである。この構成では、接点１００を電源と負荷との間に挿入して負荷への電源を入切する片切のスイッチとして用いるとすれば、負荷に電源を供給していないときに位置表示灯Ｌ１が点灯することになる。つまり、負荷として照明負荷を用いるとすれば、照明負荷が消灯しているときには位置表示灯Ｌ１が点灯することによって、暗がりでもスイッチの位置を容易に確認することができる。
【００３７】
カバー５ａにおいて収納凹所５５に対応する部位の前壁には、軸部１９２の間の部位に収納凹所５５に連通する透孔窓４０が形成され、透孔窓４０には透光性を有したランプカバー４１が取り付けられる。したがって、位置表示灯Ｌ１の点灯・消灯の状態はランプカバー４１を通して視認することができる。
【００３８】
ボディ５ｂの後面や側面の適宜部位には接点１００の構成、型式を示す記号、定格容量などを示す表記５６が設けられている。この表記５６はボディ５ｂを形成する材料に珪素含有無機化合物または珪素を含有するピグメントを混入しておき、表記５６のパターンが得られるようにレーザビームを照射することで発色させてある。このような表記５６を形成する際には、適切に選択したピグメントにより着色した材料を用いることで、比較的低強度のレーザビームを用いながらも明確なコントラストを与えることができる。
【００３９】
ところで、接点１００は開閉子２４を回動させるために設けた反転ばね３０、反転ハンドル３１、押釦ハンドル３２、スライドカム３３、復帰ばね３７とともにスイッチ機構部を構成する。反転ばね３０はコイルスプリングであり、反転ばね３０の後端部には開閉子２４の前縁に突設されたばね座片２４ａが挿入され、前端部は反転ハンドル３１に設けた後面開口した筒部３１ａ内に収められる。反転ハンドル３１はカバー５ａの前面に設けた凹部５１の底壁に貫設された貫通孔５２を通して前端部がカバー５ａの前面側に露出する。また、反転ハンドル３１の中間部の両側面には前端部が先細りとなる三角形状の支点突起３１ｂが突設され、貫通孔５２の両側縁に形成され後方に開放された軸受部５０に支点突起３１ｂが枢支されることで、反転ハンドル３１はカバー５ａに対して揺動自在に取り付けられる。つまり、反転ハンドル３１の前端部をカバー５ａの貫通孔５２に後方から挿入するとともに、支点突起３１ｂを軸受部５０に挿入することで、カバー５ａに対して反転ハンドル３１が揺動自在になる。上述のように反転ハンドル３１は反転ばね３０を介して開閉子２４に連結されており、反転ハンドル３１が揺動すると揺動範囲の中間で反転ばね３０がもっとも圧縮される位置を通過する。この位置の前後において反転ばね３０から開閉子２４に作用するばね力の向きが反転し、反転ばね３０のばね力により開閉子２４が急速に移動するのである。
【００４０】
ところで、反転ハンドル３１において貫通孔５２を通してカバー５ａの前面側に露出する部位の両側部には前方に突出してスライドカム３３に掛合する一対の掛合突起３４を突設してある。スライドカム３３はカバー５ａに設けた押釦ハンドル３２の押操作時に反転ハンドル３１の位置関係に応じて反転ハンドル３１の揺動方向を含む面内において押釦ハンドル３２の裏面に沿ってスライドするように構成されている。スライドカム３３の構成については後述する。
【００４１】
押釦ハンドル３２は、長手方向の両外側面の後端部に突出するガイド突起３６を備え、カバー５ａの凹部５１の両側内周面の後部に前後方向（図７の上下方向）に沿って形成された案内溝３５にガイド突起３６が挿入されることによって、前後方向に移動自在かつ前方への抜止がなされている。また、上述したように端子板１５，１８がボディ５ｂに対して前方に突出しているから、押釦ハンドル３２の前後方向の寸法を従来構成よりも小さくしてあり、これによって、押釦ハンドル３２の前後方向のストロークを従来構成と同程度に確保しながらも、押釦ハンドル３２が端子板１５，１８に干渉するのを防止している。ただし、押釦ハンドル３２の前後方向の寸法を小さくすれば、カバー５ａに設けた凹部５１の内周面と押釦ハンドル３２との接触面積が小さくなり、押釦ハンドル３２が前後方向に移動する際にがたつきやすくなる。そこで、本実施形態では押釦ハンドル３２の周面を前面に直交するように形成してあり、押釦ハンドル３２の押操作時にカバー５ｂに形成した凹部５１の内周面と押釦ハンドル３２の周面との接触面積を大きくしてがたつきなく押釦ハンドル３２を前後に移動させることを可能にしてある。
【００４２】
押釦ハンドル３２の後面には突起３２ｄが突設され、板ばねからなる復帰ばね３７の平片３７ｂに穿孔した孔３７ｄに突起３２ｄを挿入することにより、復帰ばね３７が押釦ハンドル３２の後面に取り付けられる。復帰ばね３７は平片３７ｂから後方に向かって開拡した２つの復帰ばね片３７ａを一体に延設して形成され、復帰ばね３７のばね片３７ａの先端が凹部５１の底面に弾接されることにより押釦ハンドル３２が前方に向かって付勢される。
【００４３】
スライドカム３３はポリアセタールのような弾性に富む熱可塑性樹脂によりロ字状に成形してあり、対向する側辺部の後面に反転ハンドル３１の掛合突起３４に対応する掛合カム体３８が突設され、さらに別の側辺部の中央部に一対のばね片３３ａがハ字状となるように一体に突設された形状を有している。図１２のように押釦ハンドル３２の後面に突設された突起３２ａが上記両ばね片３３ａの間に挿入されることによって、押釦ハンドル３２の後面においてスライドカム３３が摺動自在に装着され、かつばね片３３ａの弾性によってスライドカム３３に復帰力が与えられる。
【００４４】
スイッチ本体１の器体のカバー５ａの表面側端部には、ピアノハンドル４３を枢着するために、斜め前方に突出する一対の軸部１９２が一体に突設してある。軸部１９２の前端部はカバー５ａの短手方向に沿った円柱状に形成される。ピアノハンドル４３の背面の一端部には、図１１に示すように、板ばねにより形成された金属製の軸受用ばね１９１ｂをはめ込み用穴１９１ａに装着した軸受部１９１が設けてある。はめ込み用穴１９１ａは内周面の片側に係止穴１９０を備え、はめ込み用穴１９１ａに収納される軸受用ばね１９１ｂの抜け止め爪１９１ｃを係止して軸受用ばね体１９１ｂを固持している。軸受用ばね体１９１ｂは先端をはめ込み用穴１９１ａ内へ突出させるように曲げ形成され、突出部１９１ｄとはめ込み用穴１９１ａとで軸部１９２を保持する。
【００４５】
はめ込み用穴１９１ａの開口付近には軸受用ばね１９１ｂの突出部１９１ｄが設けてあるから、はめ込み用穴１９１ａの内部よりも開口幅が狭く、スイッチ本体１に設けた軸部１９２を軸受用ばね１９１ｂのばね力に抗してはめ込み用穴１９１ａに弾性的にはめ込むと、軸部１９２と軸受部１９１とが枢着され、容易には外れないようにしてある。このように軸部１９２を軸受部１９１に回動自在に嵌め込むことでピアノハンドル４３を回動自在に枢着することができる。なお、ピアノハンドル４３の他端部には後方に向かって抜け止め用の抜止片４３ａを突設してある。抜止片４３ａはカバー５ａの前壁に形成した挿入孔５４を通して空所１２内に挿入され、抜止片４３ａの先端部に設けた係止爪４３ｂが挿入孔５４の周縁に係止されることによって、ピアノハンドル４３の回動範囲が規制される。挿入孔５４は図３のように３個並んで設けられている。また、挿入孔５４に近接して設けられている端子板１５には、押さえ片１５ｂから前方に案内片１５ｆが延設され、端子板１５に接続される電線が挿入孔５４側に突出することによって抜止片４３ａに干渉するのが防止されている。
【００４６】
上記のようにピアノハンドル４３がスイッチ本体１に取り付けられることにより、ピアノハンドル４３の上記他端部を押操作すると、軸受部１９１と軸部１９２と枢着部を中心にしてピアノハンドル４３が回動する。ピアノハンドル４３の後面にはスイッチ本体１に設けた押釦ハンドル３２が当接しており、ピアノハンドル４３を押操作すれば押釦ハンドル３２が器体５に押し込まれるのである。
【００４７】
以下に、上記スイッチ本体１の動作を簡単に説明する。図１２は可動接点２９が固定接点２５に接触している状態、すなわち接点１００が閉成された状態を示しており、反転ハンドル３１は図の右側に倒れている。このときスライドカム３３はばね片３３ａにより移動範囲の中央位置に位置している。この状態からピアノハンドル４３（図１２では図示を省略している）に押力を作用させると、押釦ハンドル３２が復帰ばね３７に抗して器体５に押し込まれ、押釦ハンドル３２とともにスライドカム３３が図１２の下向きに移動する。このときスライドカム３３の図中左側の掛合カム体３８が反転ハンドル３１の左側の掛合突起３４に当接して反転ハンドル３１の左端部を押すから、反転ハンドル３１が支点突起３１ｂの前端を中心として左回りに回転する。スライドカム３３の左側の掛合カム体３８は反転ハンドル３１の左側の掛合突起３４よりも左側に位置しており、反転ハンドル３１が回転するのに伴ってスライドカム３３が左方に押されて図１３に示すようにスライドカム３３が図中の左側にスライドする。こうして図１４のように反転ハンドル３１が図の左側に倒れるようになり、反転ばね３０が反転して開閉子２４が反転し、可動接点２９が固定接点２５から切り離された状態、すなわち接点１００が開放状態に反転する。その後、ピアノハンドル４３に作用させた押力を解除すると、図１５のように復帰ばね３７のばね力により押釦ハンドル３２が押し戻され、押釦ハンドル３２に当接しているピアノハンドル４３も元の位置に復帰する。また同時に、スライドカム３３もばね片３３ａのばね力でスライドして中央位置に復帰する。
【００４８】
こうして、接点１００が開放状態となっているときにピアノハンドル４３に再び押力を作用させると、上述の動作と同様にして反転ハンドル３１を回転させることができる。ただし、接点１００が開放状態であるときには、反転ハンドル３１の右側の掛合突起３４がスライドカム３３の右側の掛合カム体３８に当接するから、反転ハンドル３１は右回りに回転し、反転ばね３０を介して可動接点２９を固定接点２５に接触させることになる。こうして接点１００を反転させた後にピアノハンドル４３から押力を解除すれば、図１２に示す状態に戻る。要するに、本実施形態ではピアノハンドル４３の押操作毎に接点１００が開閉されるのである。すなわち、スライドカム３３と反転ハンドル３１の掛合突起３４と復帰ばね３７とによって、押釦ハンドル３２の押操作を反転ハンドル３１の揺動に変換する変換機構部が構成される。
【００４９】
ところで、上述した取付枠２は１個モジュール寸法のスイッチ本体１を３個取り付けることができるものであるから、３個用の取付枠２と呼ぶことにする。すなわち、取付枠２の窓孔２ａの両側の側片には、スイッチ本体１の取付爪１１ａ，１１ｂが係止される２個１組の器具取付孔２ｂ，２ｂが３組ずつ設けてあり、窓孔２ａ内でスイッチ本体１の取付位置を３箇所選択できるようになっている。ここで、窓孔２ａの長手方向にスイッチ本体１の短手方向を一致させてスイッチ本体１を取付枠２に取り付ける場合の３つの取付位置を、それぞれ上端位置、中央位置、下端位置と呼ぶことにする。また、取付枠２に１個モジュール寸法のスイッチ本体１を１個取り付ける際に用いるピアノハンドル４３であって、図１６に示すようにプレート（プレート枠１２０および化粧プレート１３０）の開口窓１２０ａ，１３０ａを１個で覆う程度の寸法を有したピアノハンドル４３を１個用のピアノハンドル４３と呼ぶことにする。同様に、３個用の取付枠２に１個モジュール寸法のスイッチ本体１を２個取り付ける際に用いるピアノハンドル４３であって、図２７に示すように各スイッチ本体１にそれぞれ取り付けられプレートの開口窓１２０ａ，１３０ａを２個で覆う程度の寸法を有したピアノハンドル４３を２個用のピアノハンドル４３と呼ぶことにし、さらに、３個用の取付枠２に１個モジュール寸法のスイッチ本体１を２個取り付ける際に用いるピアノハンドル４３であって、図３７に示すように各スイッチ本体１にそれぞれ取り付けられプレートの開口窓１２０ａ，１３０ａを３個で覆う程度の寸法を有したピアノハンドル４３を３個用のピアノハンドル４３と呼ぶことにする。
【００５０】
上述した３種類のピアノハンドル４３の上下方向（スイッチ本体１の短手方向）の寸法の関係は、（１個用のピアノハンドル４３の上下寸法）≒（２個用のピアノハンドル４３の上下寸法）×２≒（３個用のピアノハンドル４３の上下寸法）×３になる。また、上述したようにプレートの開口窓１２０ａ，１３０ａは取付枠２の窓孔２ａよりも長寸かつ広幅であり、この窓孔２ａにスイッチ本体１を挿入して取り付けるから、３個用のピアノハンドル４３の上下寸法はスイッチ本体１の上下寸法よりも大きくなっている。つまり、いずれのピアノハンドル４３も押釦ハンドル３２よりも操作面の面積が大きく、したがって押釦ハンドル３２を押操作するよりもピアノハンドル４３を押操作するほうが操作が容易になっている。
【００５１】
取付枠２の窓孔２ａにスイッチ本体１を１個だけ取り付ける場合を図１６ないし図２４に示し、１個用のピアノハンドル４３を図２５、図２６に示す。上述したように、ピアノハンドル４３の背面の一端部に設けられる軸受部１９１（図１参照）は、スイッチ本体１に設けた一対の軸部１９２に対応するように上下方向の中央部付近に２つ設けられている。ただし、ピアノハンドル４３の各軸受部１９１に取り付けられる軸受用ばね１９１ｂは連続した１部材で形成される。ピアノハンドル４３は、ピアノハンドル４３の２つの軸受部１９１にスイッチ本体１の２つの軸部１９２を嵌め込むことにより、スイッチ本体１の上下方向の中心と１個用のピアノハンドル４３の上下方向の中心とが一致するように取り付けられる。また、１個用のピアノハンドル４３の背面の他端部には上下方向の中央部付近に２本の抜止片４３ａが突設され、各抜止片４３ａはスイッチ本体１の上下の挿入孔５４に挿入される。
【００５２】
ところで、ピアノハンドル４３において軸受部１９１を設けている一端部において上下方向の中央部には、ピアノハンドル４３をスイッチ本体１に上述のように取り付けたときにスイッチ本体１のランプカバー４１に対応する部位で、表示孔１１２が開口し、表示孔１１２にはピアノハンドル４３の背面側からレンズ１１３（図２３参照）の一部がはめ込んである。レンズ１１３は位置表示灯Ｌ１からの光をピアノハンドル４３の前面側に導くように形成された透明合成樹脂の成形品である。
【００５３】
ピアノハンドル４３の上下方向の中央部であって表示孔１１２よりも上記他端部側にはネーム取付窓２５２がピアノハンドル４３の表裏に貫設される。ネーム取付窓２５２は透明合成樹脂の成形品であるネームカバー２５３で覆われる。ネームカバー２５３は裏面側でネーム取付窓２５２の周囲に突出するネーム保持枠２２５を一体に備え、ピアノハンドル４３の背面側に開閉する扉２５４とともにネーム取付ブロック２５１を形成する。ネームカバー２５３においてネーム取付窓２５２を覆う部位と扉２５４との間には、スイッチ本体１を用いる回路に関連した名称（負荷名や場所名）を記入するためのネームカード２５０を保持することができる。したがって、たとえば制御対象となる負荷名（「換気扇」等）あるいは制御対象となる負荷の場所名（「台所」、「玄関」、「廊下」等）をネームカード２５０に表記し、このネームカード２５０をピアノハンドル４３に取り付けておけば、ネームカバー２５３を通してネームカード２５０の表記内容を視認することができ、ピアノハンドル４３の操作時に負荷名や場所名を区別することができて便利である。また、ネームカード２５０はピアノハンドル４３に着脱可能であるから、必要に応じて交換することができる。
【００５４】
ピアノハンドル４３の表面における上記他端部には、上下方向の中央位置に押位置指示突起１１４が突設され、ピアノハンドル４３に押力を作用させるべき端部が押位置指示突起１１４側であることが示されている。また、ピアノハンドル４３の表面においてネームカバー２５３の上下両側には、左右方向の多数本の平行な直線からなるストライプ状の化粧ライン１１５を形成してある。化粧ライン１１５は、ピアノハンドル４３の表面に実質的に凹凸が形成されない程度に、ピアノハンドル４３を形成する合成樹脂材料をレーザビームの照射で炭化反応させ、他の部分と色差が生じるように発色させることによって形成される。
【００５５】
ところで、取付枠２の窓孔２ａに２個のスイッチ本体１を取り付ける場合には、図２７ないし図３４に示すように、上端位置と下端位置とにそれぞれスイッチ本体１を取り付けることになる。各スイッチ本体１には図３５および図３６に示す２個用のピアノハンドル４３がそれぞれ取り付けられる。２個用のピアノハンドル４３は３個用のピアノハンドル４３と同様に、上下方向の中央部に２つの軸受部１９１を備え、取付枠２に対して上端位置および下端位置に取り付けた各スイッチ本体１の上下方向の中心位置と、各ピアノハンドル２の上下方向の中心位置とが一致するように取り付けられる。その結果、２個用のピアノハンドル４３においても上端位置用と下端位置用とを区別することなく共通して同じものを使用できる。２個用のピアノハンドル４３は上下寸法が１個用のピアノハンドル４３と異なるが他の構成は１個用のピアノハンドル４３と同様である。
【００５６】
取付枠２の窓孔２ａに３個のスイッチ本体１を取り付ける場合には、図３７ないし図４５に示すように、上端位置と中央位置と下端位置とにそれぞれスイッチ本体１を取り付け、各スイッチ本体１にそれぞれ図４６および図４７に示す３個用のピアノハンドル４３を取り付ける。３個用のピアノハンドル４３の背面の一端部には４個の軸受部１９１がスイッチ本体１の軸部１９２に対応する一定間隔で設けられる。また、上２個の軸受部１９１と下２個の軸受部１９１とに対応する軸受用ばね体１９１ｂはそれぞれ一体に形成されている。つまり、４個の軸受部１９１に対して軸受用ばね体１９１ｂを２部材で実現してある。また、３個用のピアノハンドル４３では抜止片４３ａはピアノハンドル４３の上下方向の中央付近に１個ずつ設けられる。
【００５７】
取付枠２に３個のスイッチ本体１を並設した場合、中央位置のスイッチ本体１に取り付けるピアノハンドル４３は、中央の２個の軸受部１９１にスイッチ本体１の軸部１９２をはめ込んで取り付ける。つまり、中央位置のスイッチ本体１についてはスイッチ本体１の上下方向の中心とピアノハンドル４３の上下方向の中心とが一致する。また、ピアノハンドル４３の抜止片４３ａはスイッチ本体１の中央の挿入孔５４に挿入される。一方、上端位置のスイッチ本体１に取り付けられるピアノハンドル４３は、下側の２個の軸受部１９１にスイッチ本体１の軸部１９２をはめ込んで取り付ける。つまり、上端位置についてはスイッチ本体１の上下方向の中心よりもピアノハンドル４３の上下方向の中心が上にずれて位置することになり、ピアノハンドル４３の抜止片４３ａはスイッチ本体１の上の挿入孔５４に挿入される。また、下端位置のスイッチ本体１に取り付けられるピアノハンドル４３は、上側の２個の軸受部１９１にスイッチ本体１の軸部１９２をはめ込んで取り付ける。つまり、下端位置についてはスイッチ本体１の上下方向の中心よりもピアノハンドル４３の上下方向の中心が下にずれて位置することになり、ピアノハンドル４３の抜止片４３ａはスイッチ本体１の下の挿入孔５４に挿入される。
【００５８】
以上の説明からわかるように、取付枠２に３個のスイッチ本体１を取り付ける場合には、上端位置と下端位置とにおいて、スイッチ本体１の上下方向の中心がピアノハンドル４３の上下方向の中心に一致しない。そこで、３個用のピアノハンドル４３では、図４５のように、１個用や２個用のピアノハンドル４３よりもレンズ１１３の厚みを小さくし、レンズ１１３の背面側に光学的に結合されるプリズム２００を設けてある。プリズム２００はピアノハンドル４３の背面側で表示孔１１２よりも上下方向に広がる形状に形成され、ランプカバー４１の位置が表示孔１１２に対して上下にずれている場合でも、位置表示灯Ｌ１からの光をレンズ１１３に導く形状に形成されている。このように、３個用のピアノハンドル４３では、上端位置および下端位置において、上下方向の中心位置がスイッチ本体１の上下方向の中心位置とはずれるが、ピアノハンドル４３に設けたプリズム２００の機能によって、位置表示灯Ｌ１の光を表示孔１１２の位置に導くことができる。また、ピアノハンドル４３に４個の軸受部１９１を設け、かつスイッチ本体１に３個の挿入孔４３ａを形成していることによって、３個用のピアノハンドル４３についても、上端位置、中央位置、下端位置を区別することなく共通の部材を用いることができる。
【００５９】
ところで、上述した取付枠２は壁面のような施工面に対して３種類の取付方法が選択可能となるように構成してある。図４８および図４９に示す例は、コンクリート壁などに施工する場合であって、壁Ｗに埋込配設された埋込ボックス１５０に取り付ける例を示している。取付枠２の上片および下片にはそれぞれ埋込ボックス１５０の開口側に設けた取付舌片１５１に螺合するボックスねじを挿通するための長孔２ｃが形成されている。また、施工面が木質壁などの場合には施工面に螺入するねじを用いて取付枠２を直付けする場合があるから、直付け用のねじを挿通するためのねじ挿通孔２ｄも上片と下片とに形成されている。さらに、上片および下片には、施工面が石膏ボードのようなパネル材であるときに使用するはさみ金具（図示せず）の一端部を係止するはさみ金具取付孔２ｅと、プレート枠１２０を取り付ける取付ねじ１２３を螺合させる取付ねじ孔２ｆとが設けてある。
【００６０】
はさみ金具９０（図７９，図８０参照）は、一端部をはさみ金具取付孔２ｅに引っ掛けることにより取付枠２に対して枢支され、長孔２ｃを通してはさみ金具に螺合する引締ねじ９１を進退させることによって他端部と取付枠２との距離を変化させることができるものである。はさみ金具９０はＬ字状に形成されており、上記一端部を取付枠２のはさみ金具取付孔２ｅに挿入したときに、上記他端部が取付枠２の上片ないし下片に対向する。したがって、施工面がパネル材であるときには取付用の孔を施工面に形成しておき、引締ねじ９１を緩めた状態で、はさみ金具９０を孔に挿入し、その後、引締ねじ９１を締め付けるようにすれば、取付枠２とはさみ金具９０との間で孔の周部を挟持して取付枠２を施工面に固定することができる。また、はさみ金具９０の上記他端部において取付枠２と対向する面には摩擦を大きくするための凹凸部９２が形成されている。
【００６１】
取付枠２の前面側に取付ねじ１２３によって取り付けられるプレート枠１２０は、図５４ないし図５７に示すように、ＡＢＳ樹脂のような合成樹脂によって矩形枠状に形成された成形品であって、上片と下片とにそれぞれ取付ねじ１２３が挿通されるねじ挿通孔１２１が設けてある。また、プレート枠１２０の左片および右片にはそれぞれ化粧プレート１３０の係止片１３１が挿入係止される係止孔１２２がそれぞれ３個ずつ設けてある。さらに、プレート枠１２０の四隅には金属製の簡易耐火プレート（図示せず）を取り付けるためのプレート保持孔１２２も設けられている。プレート枠１２０の周部には全周に亘って段部１２４が形成される。
【００６２】
プレート枠１２０に結合される化粧プレート１３０は、図５８ないし図６１に示すように、プレート枠１２０と同様にＡＢＳ樹脂のような合成樹脂によって矩形枠状に形成される。また、化粧プレート１３０の裏面にはプレート枠１２０に結合するための係止片１３１が６本突設されている。化粧プレート１３０は前壁の外周縁から後方に向かって延設された周壁１３２を備え、図５０ないし図５３に示すように、プレート枠１２０に化粧プレート１３０を重ね合わせたときに周壁１３２の後縁がプレート枠１２０の段部１２４の前面に載るようにしてある。なお、プレート枠１２０および化粧プレート１３０はともに角部に丸みがほとんどなく、アール部分を形成する場合に比較すると金型の製造が容易になっている。
【００６３】
スイッチ本体１を取り付けた取付枠２に取付ねじ１２３によってプレート枠１２０を取り付け、さらに化粧プレート１３０をプレート枠１２０に結合するとともに、スイッチ本体１にピアノハンドル４３を取り付けると、プレート枠１２０および化粧プレート１３０の中央部の開口窓１２０ａ，１３０ａを通してピアノハンドル４３の一部をプレートの前方に突出させることができ、この状態でピアノハンドル４３を押操作することができることになる。また、化粧プレート１３０はプレート枠１２０に対して係止片１３１によって係合しているだけであるから、プレート枠１２０の下端部に設けた外し溝１２６にマイナスドライバのような工具の先端部を挿入し、プレート枠１２０から化粧プレート１３０を引き離すように力を作用させれば、化粧プレート１３０をプレート枠１２０から外すことができる。したがって、化粧プレート１３０を取り付けた状態では表面に取付ねじ１２３が露出しないようにして優れた外観に仕上げながらも、メンテナンス時には化粧プレート１３０を比較的容易に取り外すことができる。
【００６４】
（第２の実施の形態）
第１の実施の形態では、位置表示灯Ｌ１を設けていたが、用途によっては位置表示灯Ｌ１は必ずしも設けなくてもよい。つまり、位置表示灯Ｌ１が不要な場合には、表示ブロックＢ１、透孔窓４０、ランプカバー４１を省略したスイッチ本体１を採用し、またピアノハンドル４３においても表示孔１１２およびレンズ１１３を省略するのである。このように、位置表示灯Ｌ１に関連する部材を第１の実施の形態から省略すれば、部品点数が少なくなり、第１の実施の形態よりも低コストで提供することができる。要するに、用途によっては低価格のスイッチを利用することができる。
【００６５】
この構成のスイッチ本体１を図６２ないし図７０に示す。スイッチ本体１については、第１の実施の形態に示した構成から表示ブロックＢ１、透孔窓４０、ランプカバー４１を省略したものであって、カバー５ａのみ異なる部材を用いれば、他の部材は第１の実施の形態と共通の部材を用いることができる。他の構成および動作は第１の実施の形態と同様であるから説明を省略する。
【００６６】
（第３の実施の形態）
本実施形態は、図７１および図７２に示すように、外観は第１の実施の形態と同様であるが、第１の実施の形態とは異なる構成の表示ブロックＢ２を用いたものである。また、端子収納室１４には２個の端子板１８，８１を収納してある。各端子板１８，８１にはそれぞれ鎖錠ばね１９，８２が１個ずつ設けられ、端子収納室１４に対応してボディ５ｂに設けた２個の電線挿入口１４ａから導入される電線が、端子板１８と鎖錠ばね１９とで構成された端子と、端子板８１と鎖錠ばね８２とで構成された端子とにそれぞれ接続される。両端子板１８，８１はそれぞれ全体としてはコ字状に形成され、それぞれ前片１８ａ，８１ａに対して押さえ片８１８，８１ｂおよび当接片１８ｃ，８１ｃがほぼ直交する形で形成されている。また、両端子板１８，８１は端子収納室１４内に設けた仕切リブ１４ｃによって位置決めされている。ただし、端子収納室１４に配置した解除釦２１は両鎖錠ばね１９，８２に共用される。端子板１８には固定接点２５（図７参照）を保持する接点保持片（図７参照）が延設される。また、端子板８１は接点１００には接続されていない。
【００６７】
本実施形態の内部回路は、図７３に示すように、ネオンランプであるオン確認灯Ｌ２にチップ抵抗である抵抗Ｒ２を直列接続するとともに、オン確認灯Ｌ２と抵抗Ｒ２との直列回路にチップ抵抗である抵抗Ｒ３を並列接続した構成の表示ブロックＢ２を、単極単投の接点１００の一端に接続した端子と接点１００に接続されていない他の端子との間に接続した構成を有している。オン確認灯Ｌ２および抵抗Ｒ２，Ｒ３はＴ字状のプリント基板６４に実装され、このプリント基板６４には導電板よりなる２本の接触子６５ａ，６５ｂも半田接続される。両接触子６５ａ，６５ｂはオン確認灯Ｌ２と抵抗Ｒ２との直列回路に抵抗Ｒ３を並列接続した回路の両端に接続されている。表示ブロックＢ２は第１の実施の形態と同様に、カバー５ａの収納凹所５５に収納され、ボディ５ｂにカバー５ａを結合する際に、へ字状に折曲された接触子６５ａ，６５ｂを端子板８１，８２の前片１８ａ，１８ａに弾接させる。つまり、端子板１８，８１の間に表示ブロックＢ２が挿入されることになる。
【００６８】
本実施形態のスイッチ本体１は、電源と負荷との間に接点１００が挿入されるように接続するとともに、表示ブロックＢ２を負荷に並列に接続して用いる。つまり、接点１００が閉成して負荷に電源が供給されたときに、オン確認灯Ｌ２にも電源が供給されてオン確認灯Ｌ２が点灯するように用いる。このような形で電源および負荷と接続することによって、負荷の電流容量に影響を与えることなく負荷のオンオフに対応した表示が可能になる。
【００６９】
本実施形態では、表示ブロックＢ２および端子板１８，８１を除けば第１の実施の形態と共通の部材を用いることができる。また、外観は第１の実施の形態と同様であるから、ピアノハンドル４３にも第１の実施の形態に用いたものと同構成のものを用いることができる。他の構成および動作は第１の実施の形態と同様であるから説明を省略する。
【００７０】
（第４の実施の形態）
本実施形態は、図７４ないし図７７に示すように、反転ハンドル３１の揺動方向の一側面にＬ字状の入切駆動片７１を一体に突設し、入切駆動片７１の先端部をカバー５ａの前面から進退させる構成のスイッチ本体１を採用している。このスイッチ本体１は図７８に示す構成のピアノハンドル４３とともに用いることによって、ピアノハンドル４３に設けた表示体７０を反転ハンドル３１の反転動作に連動するように移動させ、この表示体７０により接点１００の開閉状態を表示するものである。
【００７１】
まず、本実施形態に用いるピアノハンドル４３の構成について説明する。ピアノハンドル４３の背面には接点１００の開閉状態を表示するための表示体７０がピアノハンドル４３の側縁に沿って上下方向の規定の２位置の間で摺動可能となるように保持される。表示体７０の移動範囲における中間位置に対応してピアノハンドル４３の前壁には表示窓７６ａが開設してある。表示体７０は合成樹脂成形品であって、図７８に示すように矩形板状に形成された主部７０ａを備え、主部７０ａ前面には表示シート７２が貼着され、表示シート７２の前面には「入」「切」のように接点の開閉状態に対応する表記７２ａがなされている。また、主部７０ａの移動方向の一端面にはコイルばねからなる復帰ばね７８の一端部に挿入されるばね座突起７０ｄが突設してある。表示体７０の背面には、図７９、図８０に示すように、表示体７０の移動方向に傾斜した傾斜面７０ｃを有する三角形状の入切突起７０ｂが主部７０ａの移動方向に３個列設される。表示体７０の背面であって隣接する入切突起７０ｂの間には入切駆動片７１の先端部を挿入可能とするロック凹所７０ｅが形成される。また、図７９、図８０に示す表示体７０の左端縁は入切駆動片７１の先端部に当接するロック面７０ｆになっている。ロック凹所７０ｅおよびロック面７０ｆはロック部として機能する。
【００７２】
ピアノハンドル４３に設けた表示窓７６ａにはピアノハンドル４３の表面側から合成樹脂成形品である表示部カバー７６が被着される。表示部カバー７６の中央部には表示窓７６ａの一部に対応する部位に透明部７６ｂが形成してあり、表示窓７６ａおよび表示部カバー７６の透明部７６ｂを通して表示シート７２の文字がピアノハンドル４３の前面側から視認できるようにしてある。つまり、上記２位置のうちの一方の位置で「切」の表記７２ａが透明部７６ｂから視認可能になり、他方の位置で「入」の表記７２ａが透明部７６ｂから視認可能になる。また、第１の実施の形態や第３の実施の形態のように、スイッチ本体１に位置表示灯やオン確認灯を設ける場合に備えて表示部カバー７６の中央部には表示窓７６ａの一部に対応しかつ透明部７６ｂに隣接する部位に透光部７６ｃが形成してある。ピアノハンドル４３の背面には第１の実施の形態や第３の実施の形態において示したレンズ１１３と同様の機能を有したレンズ１１３’が取り付けられ、レンズ１１３’の出射面が上記透光部７６ｃに臨むように配置される。レンズ１１３’は透光部７６ｃに対して上下方向に延長されている。
【００７３】
ところで、ピアノハンドル４３には背面との間で表示体７０を保持するために押さえ板７７が固着される。つまり、ピアノハンドル４３の背面と押さえ板７７との間に形成される空間に表示体７０が保持され、表示体７０がピアノハンドル４３から脱落するのを防止してある。押さえ板７７の中央部には切欠窓７７ａが形成してあり、切欠窓７７ａの中で上述した３つの入切突起７０ｂが移動可能になっている。また、押さえ板７７の側縁にはレンズ１１３’の中央部をはめ込む切欠溝７７ｂが形成されている。つまり、レンズ１１３’は切欠溝７７ｂを除く部位ではピアノハンドル４３の背面と押さえ板７７との間にレンズ１１３’が挟まれることになる。
【００７４】
上述のように復帰ばね７８の一端部には表示体７０のばね座突起７０ｄが挿入され、またピアノハンドル４３の裏面には復帰ばね７８の他端部がはめ込まれる溝状のばね受け部（図示せず）が設けてあり、このことによる。したがって、表示体７０は復帰ばね７８のばね力により移動範囲である上記２位置のうちの一方の位置に向かって付勢されている。入切突起７０ｂの傾斜面７０ｃは、傾斜面７０ｃに対して前向きの力が作用したときに、復帰ばね７８のばね力に抗して上記２位置のうちの他方の位置まで表示体７０を移動させるように傾斜している。
【００７５】
本実施形態で用いるスイッチ本体１は、上述したように反転ハンドル３１に入切駆動片７１を一体に備え、カバー５ａの前壁には入切駆動片７１の先端部が進退自在に挿入される出入孔７４が形成されている。入切駆動片７１は反転ハンドル３１の揺動方向のうち軸部１９２に近い側に突設してあり、接点１００が開いているときには入切駆動片７１の先端部が出入孔７４に後退し、接点１００が閉じているときには入切駆動片７１の先端部が出入孔７４から突出するようにしてある。
【００７６】
次に、反転ハンドル３１の揺動に伴って表示体７０を移動させる動作について図７９および図８０を用いて説明する。図では３個のスイッチ本体１を取付枠２に取り付けた状態を示しており、図からわかるように、取付枠２の中央位置では３個の入切突起７０ｂのうちの中央の入切突起７０ｂに入切駆動片７１が対応し、上端位置（図の右端位置）では下端（図の左端）の入切突起７０ｂに入切駆動片７１が対応し、下端位置では上端の入切突起７０ｂに入切駆動片７１が対応する。図７９はすべてのスイッチ本体１の接点１００が開放されている状態であって、各ピアノスイッチ４３の透明部７６ｂにそれぞれ表示シート７２の「切」の表記７２ａが対応している状態を示す。また、図８０はすべてのスイッチ本体１の接点１００が閉成している状態であって、各ピアノスイッチ４３の透明部７６ｂにそれぞれ表示シート７２の「入」の表記７２ａが対応している状態を示す。図では透明部７６ｂの範囲をＤ、「入」の表記７２ａの範囲をＮ１、「切」の表記７２ａの範囲をＮ２で示してある。つまり、Ｄの範囲にＮ１の範囲が重なるときには透明部７６ｂから「入」の表記７２ａを視認できることを意味する。
【００７７】
接点１００が開放状態である図７９の位置では、入切駆動片７１の先端部は出入孔７４からほとんど突出しない程度に後退している。また、入切駆動片７１の先端部は入切突起７０ｂの先端付近で傾斜面７０ｃに対向しており、この状態では表示体７０は復帰ばね７８のばね力によって上記２位置のうちの下側位置（図の左側位置）に位置しており、透明部７６ｂには「切」の表記７２ａが対応している。ここで、ピアノハンドル４３を押操作して反転ハンドル３１を反転させると、反転ハンドル３１に一体に設けた入切駆動片７１の先端部が出入孔７４から突出して入切突起７０ｂの傾斜面７０ｃに当接し、傾斜面７０ｃを押すように力を作用させる。したがって、入切突起７０ｂの突出量が大きくなるにつれて入切突起７０ｂの先端が傾斜面７０ｃの上を滑って表示体７０は復帰ばね７８のばね力に抗して図中右方向へ移動することになる。
【００７８】
ピアノハンドル４３の押操作によって反転ハンドル３１の位置が反転すると、図８０に示すように、入切駆動片７１の先端部がロック凹所７０ｅに挿入されるかロック面７０ｆに当接し、表示体７０が入切駆動片７１により係止されて表示体７０の移動が阻止されたロック状態になる。なお、入切駆動片７１の先端部のうち復帰ばね７８のばね力に抗して表示体７０を係止する側の面は平面上に形成された係止面７１ａになっており、復帰ばね７８のばね力に抗して表示体７０の移動を確実に禁止できるようにしてある。表示体７０のロック状態では透明部７６ｂには「入」の表記７２ａが対応し、このとき接点１００は閉成されている。ここで、ロック凹所７０ｅの深さは、ピアノハンドル４３への押力が除去されてピアノハンドル４３が元の位置に復帰しても入切駆動片７１の先端部がロック凹所７０ｅに挿入された状態を保つように設定されており、ピアノハンドル４３への押力を除去しても表示体７０が移動しないようになっている。
【００７９】
透明部７６ｂに「入」の表記７２ａが対応する状態からピアノハンドル４３を押操作して反転ハンドル３１を反転させると、入切駆動片７１の先端部が出入孔７４に後退し、表示体７０のロック状態が解除される。したがって、表示体７０は復帰ばね７８のばね力によって元の位置（つまり、図７９の位置）に復帰し、透明部７６ｂに「切」の表記７２ａが対応する状態になる。このとき、接点１００は開放された状態になっている。
【００８０】
以上説明したように、ピアノハンドル４３の押操作毎に反転ハンドル３１が反転して接点１００の開閉状態が反転するのに連動させて表示体７０を移動させることができ、「入」「切」の表示状態を接点１００の開閉状態に対応させることができる。なお、端子板１８の前片１８ａには開口１８ｄが形成されており、入切駆動片７１の移動時に入切駆動片１７が開口１８ｄを通ることによって端子板１８に干渉しないようにしてある。
【００８１】
上述したように、本実施形態では、入切突起７０ｂを表示体７０に３個列設していることによって、取付枠２に３個のスイッチ本体１を取り付ける場合において、各スイッチ本体１の入切駆動片７１をいずれかの入切突起７０ｂに対応させることができ、上端位置、中央位置、下端位置のいずれの位置においてもピアノハンドル４３を区別することなく共通に用いることができる。また、本実施形態では３個用のピアノハンドル４３について説明したが、１個用のピアノハンドル４３や２個用のピアノハンドル４３においても同様の構成を採用することができる。ただし、１個用や２個用のピアノハンドル４３では、スイッチ本体１の上下方向の中心位置とピアノハンドル４３の上下方向の中心位置とが一致するから、３個の入切突起７０ｂのうちの中央の１個のみが用いられることになる。つまり、１個用や２個用のピアノハンドル４３では３個の入切突起７０ｂの中央の入切突起７０ｂしか使用しないのであるが、３個用のピアノハンドル４３と同形状の表示体７０を用いることによって、押さえ板７７や復帰ばね７８などの形状も共通化でき、製品品種を他品種化しながらも部品品種を低減してコストの低減を図ることができる。他の構成および動作については第１の実施の形態と同様であるから説明を省略する。
【００８２】
（第５の実施の形態）
本実施形態は、図８１ないし図８４に示すように、第４の実施の形態の構成に、第１の実施の形態と同様の位置表示灯Ｌ１を付加したものである。つまり、スイッチ本体１の反転ハンドル３１に入切駆動片７１を一体に設けるとともにピアノハンドル４３に表示体７０を設けて接点１００の開閉状態を表示体７０によって表示する機能を有し、さらに接点１００の開放状態において点灯するネオンランプからなる位置表示灯Ｌ１を備えた表示ブロックＢ３を器体５に収納してある。ただし、第１の実施の形態における表示ブロックＢ１は合成樹脂成形品のブロック本体６０を備えていたのに対して、本実施形態の表示ブロックＢ３はＬ字状に形成したプリント基板６６にチップ抵抗からなる抵抗Ｒ１とネオンランプからなる位置表示灯Ｌ１とを実装してある。また、プリント基板６６には各端子板１８，８１の前片１８ａ，８１ａに弾接可能となるように導電性の金属帯板により形成した接触子６７ａ，６７ｂも接続してある。第１の実施の形態および第４の実施の形態と同符号を付した他の構成はそれらの実施形態における構成と同様に機能する。
【００８３】
すなわち、本実施形態では接点１００の開閉に応じて表示体７０が移動して「入」「切」の表示がなされ、電源と負荷との間に片切のスイッチとして用いることで、「切」の際には位置表示灯Ｌ１が点灯して暗がりでも位置を確認しやすくなるものである。
【００８４】
（第６の実施の形態）
本実施形態は、図８５および図８６に示すように、第４の実施の形態の構成に、第３の実施の形態と同様のオン確認灯Ｌ２を付加したものである。つまり、スイッチ本体１の反転ハンドル３１に入切駆動片７１を一体に設けるとともにピアノハンドル４３に表示体７０を設けて接点１００の開閉状態を表示体７０によって表示する機能を有し、さらに接点１００の閉成状態において点灯するネオンランプからなるオン確認灯Ｌ２を備えた表示ブロックＢ２を器体５に収納してある。ただし、第３の実施の形態における表示ブロックＢ２に用いたプリント基板６４はＴ字状に形成されているのに対して、本実施形態ではプリント基板６４が入切駆動片７１に干渉しないように、プリント基板６４を矩形板状に形成している点が相違している。このように、プリント基板６４の形状は第３の実施の形態とは異なっているが、動作は実質的に同様になる。第３の実施の形態および第４の実施の形態と同符号を付した他の構成はそれらの実施形態における構成と同様に機能する。
【００８５】
すなわち、本実施形態では接点１００の開閉に応じて表示体７０が移動して「入」「切」の表示がなされ、電源と負荷との間に片切のスイッチとして用いることで、「入」の際にはオン確認灯Ｌ２が点灯して負荷に通電されたことを表示することになる。ここで、負荷のオン状態を表示体７０とオン確認灯Ｌ２とにより二重に表示することになるが、両者の内容に食い違いがあれば、何らかの異常が生じているものと判断することができ、異常の発見が容易になる。
【００８６】
（第７の実施の形態）
本実施形態は、２つの固定接点に可動接点を選択的に接続する３路スイッチとして構成したピアノハンドル式スイッチを例示する。本実施形態は、図８８ないし図９５に示すように構成されるものであって、オン確認灯Ｌ２を設けた第３の実施の形態と同様に、端子収納室１４に２個の端子板１８，２０を収納している。端子板２０は端子板１８と同様に前片２０ａと押さえ片２０ｂと当接片２０ｃとを備え、押さえ片２０ｂと鎖錠ばね１９との間で電線を保持するようになっている。また、鎖錠ばね１９の中央片１９ｃが当接する当接片２０ｃも端子板２０に設けられている。端子板２０は端子板１８に設けた接点保持片１８ｄに対向する部位まで延長されたＬ字状の接点保持片２０ｄを備え、接点保持片２０ｄには端子板１８に設けた固定接点２５ａに対向する固定接点２５ｂが設けられている。開閉子２４は両固定接点２５ａ，２５ｂの間に配置され、各固定接点２５ａ，２５ｂに離接可能な可動接点２９を開閉子２４の表裏に備えている。すなわち、反転ハンドル３１の揺動に伴って開閉子２４が揺動すると、可動接点２９が両固定接点２５ａ，２５ｂの一方に選択的に接触するのである。したがって、端子板１５に接続される電線は、端子板１８に接続される電線と端子板２０に接続される電線との一方に対して選択的に電気的接続がなされることになる。他の構成は第２の実施の形態と同様である。
【００８７】
ところで、本実施形態は３路スイッチとして構成されているが、第２の実施の形態に用いる部材と比較すればわかるように、端子板１８および開閉子２４として異なる形状のものを用い、端子板２０を追加するだけで他の部品は単極単投の接点構成のものを同形状のものを用いることができる。したがって、他品種化しながらも部品の共通化による製造コストの低減を図ることができる。
【００８８】
（第８の実施の形態）
本実施形態は、図９６ないし図１０４に示すように、第７の実施の形態と同様に接点の構成を３路スイッチとし、さらに第１の実施の形態と同様に位置表示灯Ｌ１を設けたものである。ただし、本実施形態では両固定接点２５ａ，２５ｂの間に位置表示灯Ｌ１を備えた表示ブロックＢ４を接続してある。表示ブロックＢ４は、ネオンランプからなる位置表示灯Ｌ１にチップ抵抗である抵抗Ｒ４を直列接続した直列回路にチップ抵抗である抵抗Ｒ５を並列接続して構成されている。すなわち、表示ブロックＢ４の回路構成は第３の実施の形態において説明したオン確認灯Ｌ２に関する表示ブロックＢ２と同様の回路構成になる。しかして、本実施形態における内部回路は図１０５のようになる。３路スイッチでは負荷がオフであるときに、両固定接点２５ａ，２５ｂに接続される電線間に負荷を通して電圧が印加されるから、負荷のオフ時に位置表示灯Ｌ１が点灯することになる。なお、図１０５において端子に付した０〜３の符号は、図１００においてボディ５ｂの後面にレーザビームによって形成した表記５６に対応する。
【００８９】
本実施形態に用いる表示ブロックＢ４は、図９６に示すように、合成樹脂成形品のブロック本体６０’を備え、ブロック本体６０’に導電板を同時一体に成形して内部の電路や部品との接続部および接触子６８ａ，６８ｂを形成してある。この表示ブロックＢ４は第１の実施の形態と同様に、カバー５ａに設けた収納凹所５５に収納され、収納凹所５５の内周面に突設した突条部５５ｂがブロック本体６０’に当接することによってカバー５ａに仮保持されるようにしてある。また、各接触子６８ａ，６８ｂはカバー５ａをボディ５ｂに結合したときに、両端子板１８，２０の前片１８ａ，２０ａにそれぞれ当接する。図において第７の実施の形態および第１の実施の形態と同符号を付した他の構成および動作についてはこれらの実施の形態と同様であるから説明を省略する。
【００９０】
（第９の実施の形態）
本実施形態は、図１０６ないし図１１０に示すように、接点の構成については第７の実施の形態と同様に３路スイッチとし、さらに第４の実施の形態と同様の入切駆動片７１を用いて開閉子２４の位置を機械的に表示しようとするものである。つまり、反転ハンドル３１には入切駆動片７１が設けられ、ピアノハンドル４３（図７８参照）には表示体７０（図７８参照）が設けられている。ただし、本実施形態は３路スイッチであるから、表示体７０において「入」「切」の表記は適さないものであり、可動接点２９がどちらの固定接点２５ａ，２５ｂに接触しているかの位置を示す内容で表記７２ａ（図７８参照）がなされる。図において第７の実施の形態および第４の実施の形態と同符号を付した他の構成および動作についてはこれらの実施の形態と同様であるから説明を省略する。
【００９１】
（第１０の実施の形態）
本実施形態は、図１１１ないし図１１５に示すように、第９の実施の形態に位置表示灯Ｌ１を備えた表示ブロックＢ５を付加したものである。本実施形態の表示ブロックＢ５は第８の実施の形態に示した表示ブロックＢ４と回路構成は同様であるが、合成樹脂成形品のブロック本体６０’ではなくプリント基板６６’を用いている。つまり、プリント基板６６’に接触子６８ａ’，６８ｂ’を半田接続してあり、これらの接触子６８ａ’，６８ｂ’を各端子板１８，２０にそれぞれ接触させる構成としてある。図において第７、第８、第９の各実施形態と同符号を付した他の構成および動作についてはこれらの実施の形態と同様である。
【００９２】
本実施形態の構成においては、可動接点２９がどちらの固定接点２５ａ，２５ｂに接触しているかを表示体７０（図７８参照）により知ることができ、さらに、負荷がオフであるときに位置表示灯Ｌ１が点灯するから暗がりでも位置を容易に知ることができる。
【００９３】
【発明の効果】
請求項１の発明は、押操作される押釦ハンドルを前面に備え押釦ハンドルの押操作毎に単極単投の接点を交互に反転させるスイッチ機構部を埋込型配線器具に用いる取付枠に取付可能な器体に収納したスイッチ本体と、器体の前面側に押釦ハンドルに対向する形で配置され一端部が器体に枢着されるとともに裏面が押釦ハンドルに当接したピアノハンドルとを設け、前記器体を、両側部に端子が収納されるとともに中央部にスイッチ機構部が収納された前面開口するボディと、ボディの開口側に覆着され前記押釦ハンドルの一部が前面に突出した後面開口するカバーとで形成し、ボディの後面を略一平面上に形成し、前記端子を、スイッチ機構部に電気的に接続した端子板と、ボディの後面に開口する電線挿入口を通して器体に挿入される電線を端子板との間で保持する鎖錠ばねとで構成し、電線挿入口から器体に挿入される電線の延長方向において端子板の一部をボディの開口面からカバー側に突出させる形で端子を器体に収納し、カバーの内周面には端子板の前面に当接することにより端子板のカバー側への浮き上がりを防止する押さえ用ボスを突設したものであり、単極単投の接点を備えるから電源と負荷との間で片切の回路として用いることができる。また、従来構成ではボディの開口面に揃える形で端子板を配置していたのに対して、ボディの開口面から端子板が突出する形で端子を器体に収納しているから、電線挿入口を通して器体に挿入される電線の挿入量は従来と変化させずに電線の機械的接続および電気的接続の仕様を従来通りとしながらも、電線挿入口の近傍での器体の前後の厚み寸法を従来構成よりも小さくすることができる。その結果、器体の後面側の限られた空間内で電線を引き回す余裕ができ、従来構成に比較して施工性が向上することになる。しかも、カバーの内周面には端子板の前面に当接する押さえ用ボスを突設しているから、端子板がカバー側に浮き上がるのを防止することができる。
【００９４】
請求項２の発明は、請求項１の発明において、位置表示のために点灯する位置表示灯を前記器体に収納したものであり、位置表示灯の点灯によって暗がりでも在処を容易に知ることができ、利便性が高いという効果がある。
【００９５】
請求項３の発明は、請求項１の発明において、前記接点の一端に接続された端子と接点に接続されていない別の端子との間に接続されたオン確認灯を前記器体に収納したものであり、負荷のオン時にオン確認灯を点灯させるから、負荷の動作状態を直接確認できない場所で使用する場合でも負荷の動作状態を知ることができる。しかも、オン確認灯は負荷に並列に接続可能であるから、負荷容量に関係なく使用することができる。
【００９６】
請求項４の発明は、請求項１の発明において、前記スイッチ機構部に、カバーに揺動可能に保持され揺動に伴って接点を交互に反転させる反転ハンドルと、前記押釦ハンドルの押操作毎に反転ハンドルを交互に反対向きに揺動させる変換機構部とを設け、反転ハンドルの反転に伴って器体の前面から進退する入切駆動片を反転ハンドルに一体に設け、前記ピアノハンドルに、ピアノハンドルの裏面に沿って規定の２位置の間で摺動する表示体と、表示体を前記２位置のうちの一方の位置に向かって付勢する復帰ばねとを設け、前記表示体の裏面に、入切駆動片が器体の前面側に突出するときに入切駆動片に当接し復帰ばねのばね力に抗して表示体を前記２位置のうちの他方の位置に向かって移動させるように傾斜する傾斜面を有した入切突起を突設するとともに、入切駆動片が器体の前面に突出して前記表示体が前記２位置のうちの他方の位置に位置するときに入切駆動片の先端部に係止されて表示体の移動を阻止するようにロックするロック部を設けたものであり、スイッチ機構部の動作に連動してスイッチ機構部の反転状態を機械的に表示することができるから、電源に接続することなくスイッチ機構部の動作確認が可能になる。
【００９７】
請求項５の発明は、請求項４の発明において、位置表示のために点灯する位置表示灯を前記器体に収納したものであり、位置表示灯の点灯によって暗がりでも在処を容易に知ることができ、利便性が高いという効果がある。
【００９８】
請求項６の発明は、請求項４の発明において、前記接点の一端に接続された端子と接点に接続されていない別の端子との間に接続されたオン確認灯を前記器体に収納したものであり、負荷のオン時にオン確認灯を点灯させるから、負荷の動作状態を直接確認できない場所で使用する場合でも負荷の動作状態を知ることができる。しかも、オン確認灯は負荷に並列に接続可能であるから、負荷容量に関係なく使用することができる。
【００９９】
請求項７の発明は、押操作される押釦ハンドルを前面に備え押釦ハンドルの押操作毎に単極双投の接点を交互に反転させるスイッチ機構部を埋込型配線器具に用いる取付枠に取付可能な器体に収納したスイッチ本体と、器体の前面側に押釦ハンドルに対向する形で配置され一端部が器体に枢着されるとともに裏面が押釦ハンドルに当接したピアノハンドルとを設け、前記器体を、両側部に端子が収納されるとともに中央部にスイッチ機構部が収納された前面開口するボディと、ボディの開口側に覆着され前記押釦ハンドルの一部が前面に突出した後面開口するカバーとで形成し、ボディの後面を略一平面上に形成し、前記端子を、スイッチ機構部に電気的に接続した端子板と、ボディの後面に開口する電線挿入口を通して器体に挿入される電線を端子板との間で保持する鎖錠ばねとで構成し、電線挿入口から器体に挿入される電線の延長方向において端子板の一部をボディの開口面からカバー側に突出させる形で端子を器体に収納し、カバーの内周面には端子板の前面に当接することにより端子板のカバー側への浮き上がりを防止する押さえ用ボスを突設したものであり、単極双投の接点を備えるから電源と負荷との間で３路スイッチとして用いることができる。また、従来構成ではボディの開口面に揃える形で端子板を配置していたのに対して、ボディの開口面から端子板が突出する形で端子を器体に収納しているから、電線挿入口を通して器体に挿入される電線の挿入量は従来と変化させずに電線の機械的接続および電気的接続の仕様を従来通りとしながらも、電線挿入口の近傍での器体の前後の厚み寸法を従来構成よりも小さくすることができる。その結果、器体の後面側の限られた空間内で電線を引き回す余裕ができ、従来構成に比較して施工性が向上することになる。しかも、カバーの内周面には端子板の前面に当接する押さえ用ボスを突設しているから、端子板がカバー側に浮き上がるのを防止することができる。
【０１００】
請求項８の発明は、請求項７の発明において、位置表示のために点灯する位置表示灯を前記器体に収納したものであり、位置表示灯の点灯によって暗がりでも在処を容易に知ることができ、利便性が高いという効果がある。
【０１０１】
請求項９の発明は、請求項７の発明において、前記スイッチ機構部に、カバーに揺動可能に保持され揺動に伴って接点を交互に反転させる反転ハンドルと、前記押釦ハンドルの押操作毎に反転ハンドルを交互に反対向きに揺動させる変換機構部とを設け、反転ハンドルの反転に伴って器体の前面から進退する入切駆動片を反転ハンドルに一体に設け、前記ピアノハンドルに、ピアノハンドルの裏面に沿って規定の２位置の間で摺動する表示体と、表示体を前記２位置のうちの一方の位置に向かって付勢する復帰ばねとを設け、前記表示体の裏面に、入切駆動片が器体の前面側に突出するときに入切駆動片に当接し復帰ばねのばね力に抗して表示体を前記２位置のうちの他方の位置に向かって移動させるように傾斜する傾斜面を有した入切突起を突設するとともに、入切駆動片が器体の前面に突出して前記表示体が前記２位置のうちの他方の位置に位置するときに入切駆動片の先端部に係止されて表示体の移動を阻止するようにロックするロック部を設けたものであり、スイッチ機構部の動作に連動してスイッチ機構部の反転状態を機械的に表示することができるから、電源に接続することなくスイッチ機構部の動作確認が可能になる。
【０１０２】
請求項１０の発明は、請求項９の発明において、位置表示のために点灯する位置表示灯を前記器体に収納したものであり、位置表示灯の点灯によって暗がりでも在処を容易に知ることができ、利便性が高いという効果がある。
【０１０３】
請求項１１の発明は、請求項１ないし請求項１０の発明において、前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の中央部の１組の器具取付手段に取着され、前記取付枠の前面側には前記窓孔より長寸かつ広幅の開口窓を有するプレートが付設され、前記ピアノハンドルがプレートの開口窓の略全部を閉塞する大きさに形成され、前記取付枠の長手方向において前記器体の中央にピアノハンドルの中央を対向させる形で上記プレートの開口内に前記ピアノハンドルが配置されるものであり、請求項１２の発明は、請求項１ないし請求項１０の発明において、前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の長手方向の両端の２組の器具取付手段にそれぞれ取着され、前記取付枠の前面側には前記窓孔より長寸かつ広幅の開口窓を有するプレートが付設され、前記ピアノハンドルがプレートの開口窓を半分ずつ閉塞する大きさに形成され、前記取付枠の長手方向において前記各器体の中央に各ピアノハンドルの中央をそれぞれ対向させる形で上記プレートの開口内に前記ピアノハンドルが配置されるものであり、請求項１３の発明は、請求項１ないし請求項１０の発明において、前記取付枠が中央部に窓孔を有した矩形枠状であって長手方向に３組の器具取付手段を備え、前記器体の短手方向の外形寸法が前記窓孔の長手方向の略３分の１に形成されるとともに、前記器体が前記取付枠の３組の器具取付手段にそれぞれ取着され、前記取付枠の前面側には前記窓孔より長寸かつ広幅の開口窓を有するプレートが付設され、前記ピアノハンドルがプレートの開口窓を３分の１ずつ閉塞する大きさに形成され、前記取付枠の長手方向において前記各器体の中央に各ピアノハンドルの中央を対向させる形で上記プレートの開口内に前記ピアノハンドルが配置されるものであって、いずれの場合も共通仕様の器具取付手段を有する取付枠、プレート、スイッチ本体を使用できて部品の共通化ができる。スイッチ本体が１個、２個、３個の各場合において上述の配置を採用するから、いずれの場合もスイッチ本体をにバランスよく配設することができピアノハンドルを安定して配設できる。さらに、ピアノハンドルが配置されるプレートの開口が窓孔よりも広幅かつ長寸であるから、ピアノハンドルの面積をスイッチ本体よりも大きくでき、ピアノハンドルである操作性のよさと相まって一段と操作性がよいという利点がある。
【図面の簡単な説明】
【図１】本発明の第１の実施の形態を示すスイッチ本体の分解斜視図である。
【図２】同上のスイッチ本体を示す斜視図である。
【図３】同上のスイッチ本体を示す正面図である。
【図４】同上のスイッチ本体を示す下面図である。
【図５】同上のスイッチ本体を示す背面図である。
【図６】同上のスイッチ本体を示す側面図である。
【図７】同上のスイッチ本体を示す断面図である。
【図８】同上のスイッチ本体においてカバーを外した状態の正面図である。
【図９】同上のスイッチ本体においてボディを外した状態の背面図である。
【図１０】同上の内部回路を示す回路図である。
【図１１】同上の軸部近傍を示し、（ａ）はピアノハンドル取付前の断面図、（ｂ）はピアノハンドル取付後の断面図である。
【図１２】同上の動作説明図である。
【図１３】同上の動作説明図である。
【図１４】同上の動作説明図である。
【図１５】同上の動作説明図である。
【図１６】同上で１個用のピアノハンドルを用いる使用形態での分解斜視図である。
【図１７】同上で１個用のピアノハンドルを用いる使用形態での正面図である。
【図１８】同上で１個用のピアノハンドルを用いる使用形態での左側面図である。
【図１９】同上で１個用のピアノハンドルを用いる使用形態での右側面図である。
【図２０】同上で１個用のピアノハンドルを用いる使用形態での背面図である。
【図２１】同上で１個用のピアノハンドルを用いる使用形態での上面図である。
【図２２】同上で１個用のピアノハンドルを用いる使用形態での下面図である。
【図２３】図１７におけるＡ−Ａ線断面図である。
【図２４】図１７におけるＢ−Ｂ線断面図である。
【図２５】同上に用いるピアノハンドルを示す正面図である。
【図２６】図２５におけるＣ−Ｃ線断面図である。
【図２７】同上で２個用のピアノハンドルを用いる使用形態での分解斜視図である。
【図２８】同上で２個用のピアノハンドルを用いる使用形態での正面図である。
【図２９】同上で２個用のピアノハンドルを用いる使用形態での左側面図である。
【図３０】同上で２個用のピアノハンドルを用いる使用形態での右側面図である。
【図３１】同上で２個用のピアノハンドルを用いる使用形態での背面図である。
【図３２】同上で２個用のピアノハンドルを用いる使用形態での上面図である。
【図３３】同上で２個用のピアノハンドルを用いる使用形態での下面図である。
【図３４】図２８におけるＢ−Ｂ線断面図である。
【図３５】同上に用いるピアノハンドルを示す正面図である。
【図３６】図３５におけるＣ−Ｃ線断面図である。
【図３７】同上で３個用のピアノハンドルを用いる使用形態での分解斜視図である。
【図３８】同上で３個用のピアノハンドルを用いる使用形態での正面図である。
【図３９】同上で３個用のピアノハンドルを用いる使用形態での左側面図である。
【図４０】同上で３個用のピアノハンドルを用いる使用形態での右側面図である。
【図４１】同上で３個用のピアノハンドルを用いる使用形態での背面図である。
【図４２】同上で３個用のピアノハンドルを用いる使用形態での上面図である。
【図４３】同上で３個用のピアノハンドルを用いる使用形態での下面図である。
【図４４】図３８におけるＡ−Ａ線断面図である。
【図４５】図３８におけるＢ−Ｂ線断面図である。
【図４６】同上に用いるピアノハンドルを示す正面図である。
【図４７】図４６におけるＣ−Ｃ線断面図である。
【図４８】同上の施工例を示す縦断面図図である。
【図４９】同上の施工例を示す横断面図である。
【図５０】同上の施工に用いるプレートの正面図である。
【図５１】同上の施工に用いるプレートの一部切欠した側面図である。
【図５２】同上の施工に用いるプレートの背面図である。
【図５３】同上の施工に用いるプレートの下面図である。
【図５４】同上の施工に用いるプレート枠の正面図である。
【図５５】同上の施工に用いるプレート枠の一部切欠した側面図である。
【図５６】同上の施工に用いるプレート枠の背面図である。
【図５７】同上の施工に用いるプレート枠の下面図である。
【図５８】同上の施工に用いる化粧プレートの正面図である。
【図５９】同上の施工に用いる化粧プレートの一部切欠した側面図である。
【図６０】同上の施工に用いる化粧プレートの背面図である。
【図６１】同上の施工に用いる化粧プレートの下面図である。
【図６２】本発明の第２の実施の形態を示すスイッチ本体の分解斜視図である。
【図６３】同上のスイッチ本体を示す斜視図である。
【図６４】同上のスイッチ本体を示す正面図である。
【図６５】同上のスイッチ本体を示す下面図である。
【図６６】同上のスイッチ本体を示す背面図である。
【図６７】同上のスイッチ本体を示す側面図である。
【図６８】同上のスイッチ本体を示す断面図である。
【図６９】同上のスイッチ本体においてカバーを外した状態の正面図である。
【図７０】同上のスイッチ本体においてボディを外した状態の背面図である。
【図７１】本発明の第３の実施の形態を示すスイッチ本体の分解斜視図である。
【図７２】同上のスイッチ本体を示す斜視図である。
【図７３】同上の内部回路を示す回路図である。
【図７４】本発明の第４の実施の形態を示すスイッチ本体の分解斜視図である。
【図７５】同上のスイッチ本体を示す斜視図である。
【図７６】同上のスイッチ本体を示す断面図である。
【図７７】同上のスイッチ本体においてカバーを外した状態の正面図である。
【図７８】同上に用いるピアノスイッチを示す分解斜視図である。
【図７９】同上の要部動作説明図である。
【図８０】同上の要部動作説明図である。
【図８１】本発明の第５の実施の形態を示すスイッチ本体の分解斜視図である。
【図８２】同上のスイッチ本体を示す斜視図である。
【図８３】同上のスイッチ本体を示す断面図である。
【図８４】同上のスイッチ本体においてカバーを外した状態の正面図である。
【図８５】本発明の第６の実施の形態を示すスイッチ本体の分解斜視図である。
【図８６】同上のスイッチ本体を示す斜視図である。
【図８７】本発明の第７の実施の形態を示すスイッチ本体の分解斜視図である。
【図８８】同上のスイッチ本体を示す斜視図である。
【図８９】同上のスイッチ本体を示す正面図である。
【図９０】同上のスイッチ本体を示す下面図である。
【図９１】同上のスイッチ本体を示す背面図である。
【図９２】同上のスイッチ本体を示す側面図である。
【図９３】同上のスイッチ本体を示す断面図である。
【図９４】同上のスイッチ本体においてカバーを外した状態の正面図である。
【図９５】同上のスイッチ本体においてボディを外した状態の背面図である。
【図９６】本発明の第８の実施の形態を示すスイッチ本体の分解斜視図である。
【図９７】同上のスイッチ本体を示す斜視図である。
【図９８】同上のスイッチ本体を示す正面図である。
【図９９】同上のスイッチ本体を示す下面図である。
【図１００】同上のスイッチ本体を示す背面図である。
【図１０１】同上のスイッチ本体を示す側面図である。
【図１０２】同上のスイッチ本体を示す断面図である。
【図１０３】同上のスイッチ本体においてカバーを外した状態の正面図である。
【図１０４】同上のスイッチ本体においてボディを外した状態の背面図である。
【図１０５】同上の内部回路を示す回路図である。
【図１０６】本発明の第９の実施の形態を示すスイッチ本体の分解斜視図である。
【図１０７】同上のスイッチ本体を示す斜視図である。
【図１０８】同上のスイッチ本体を示す断面図である。
【図１０９】同上のスイッチ本体を示すカバーを外した状態の正面図である。
【図１１０】同上のスイッチ本体を示すボディを外した状態の背面図である。
【図１１１】本発明の第１０の実施の形態を示すスイッチ本体の分解斜視図である。
【図１１２】同上のスイッチ本体を示す斜視図である。
【図１１３】同上のスイッチ本体を示す断面図である。
【図１１４】同上のスイッチ本体を示すカバーを外した状態の正面図である。
【図１１５】同上のスイッチ本体を示すボディを外した状態の背面図である。
【図１１６】従来例を示す断面図である。
【符号の説明】
１  スイッチ本体
２  取付枠
２ａ  窓孔
２ｂ  器具取付孔
５  器体
５ａ  カバー
５ｂ  ボディ
１５  端子板
１８  端子板
２０  端子板
１６  鎖錠ばね
１９  鎖錠ばね
３１  反転ハンドル
３２  押釦ハンドル
３３  スライドカム
３４  掛合突起
３７  復帰ばね
３８  掛合カム体
４３  ピアノハンドル
７０  表示体
７０ｂ  入切突起
７０ｃ  傾斜面
７０ｅ  ロック凹所
７０ｆ  ロック面
７１  入切駆動片
７８  復帰ばね
１００  接点
１２０  プレート枠
１２０ａ  開口窓
１３０  化粧プレート
１３０ａ  開口窓
Ｌ１  位置表示灯
Ｌ２  オン確認灯
【図１】
0003826650.tif 000002
【図２】
0003826650.tif 000003
【図３】
0003826650.tif 000004
【図４】
0003826650.tif 000005
【図５】
0003826650.tif 000006
【図６】
0003826650.tif 000007
【図７】
0003826650.tif 000008
【図８】
0003826650.tif 000009
【図９】
0003826650.tif 000010
【図１０】
0003826650.tif 000011
【図１１】
0003826650.tif 000012
【図１２】
0003826650.tif 000013
【図１３】
0003826650.tif 000014
【図１４】
0003826650.tif 000015
【図１５】
0003826650.tif 000016
【図１６】
0003826650.tif 000017
【図１７】
0003826650.tif 000018
【図１８】
0003826650.tif 000019
【図１９】
0003826650.tif 000020
【図２０】
0003826650.tif 000021
【図２１】
0003826650.tif 000022
【図２２】
0003826650.tif 000023
【図２３】
0003826650.tif 000024
【図２４】
0003826650.tif 000025
【図２５】
0003826650.tif 000026
【図２６】
0003826650.tif 000027
【図２７】
0003826650.tif 000028
【図２８】
0003826650.tif 000029
【図２９】
0003826650.tif 000030
【図３０】
0003826650.tif 000031
【図３１】
0003826650.tif 000032
【図３２】
0003826650.tif 000033
【図３３】
0003826650.tif 000034
【図３４】
0003826650.tif 000035
【図３５】
0003826650.tif 000036
【図３６】
0003826650.tif 000037
【図３７】
0003826650.tif 000038
【図３８】
0003826650.tif 000039
【図３９】
0003826650.tif 000040
【図４０】
0003826650.tif 000041
【図４１】
0003826650.tif 000042
【図４２】
0003826650.tif 000043
【図４３】
0003826650.tif 000044
【図４４】
0003826650.tif 000045
【図４５】
0003826650.tif 000046
【図４６】
0003826650.tif 000047
【図４７】
0003826650.tif 000048
【図４８】
0003826650.tif 000049
【図４９】
0003826650.tif 000050
【図５０】
0003826650.tif 000051
【図５１】
0003826650.tif 000052
【図５２】
0003826650.tif 000053
【図５３】
0003826650.tif 000054
【図５４】
0003826650.tif 000055
【図５５】
0003826650.tif 000056
【図５６】
0003826650.tif 000057
【図５７】
0003826650.tif 000058
【図５８】
0003826650.tif 000059
【図５９】
0003826650.tif 000060
【図６０】
0003826650.tif 000061
【図６１】
0003826650.tif 000062
【図６２】
0003826650.tif 000063
【図６３】
0003826650.tif 000064
【図６４】
0003826650.tif 000065
【図６５】
0003826650.tif 000066
【図６６】
0003826650.tif 000067
【図６７】
0003826650.tif 000068
【図６８】
0003826650.tif 000069
【図６９】
0003826650.tif 000070
【図７０】
0003826650.tif 000071
【図７１】
0003826650.tif 000072
【図７２】
0003826650.tif 000073
【図７３】
0003826650.tif 000074
【図７４】
0003826650.tif 000075
【図７５】
0003826650.tif 000076
【図７６】
0003826650.tif 000077
【図７７】
0003826650.tif 000078
【図７８】
0003826650.tif 000079
【図７９】
0003826650.tif 000080
【図８０】
0003826650.tif 000081
【図８１】
0003826650.tif 000082
【図８２】
0003826650.tif 000083
【図８３】
0003826650.tif 000084
【図８４】
0003826650.tif 000085
【図８５】
0003826650.tif 000086
【図８６】
0003826650.tif 000087
【図８７】
0003826650.tif 000088
【図８８】
0003826650.tif 000089
【図８９】
0003826650.tif 000090
【図９０】
0003826650.tif 000091
【図９１】
0003826650.tif 000092
【図９２】
0003826650.tif 000093
【図９３】
0003826650.tif 000094
【図９４】
0003826650.tif 000095
【図９５】
0003826650.tif 000096
【図９６】
0003826650.tif 000097
【図９７】
0003826650.tif 000098
【図９８】
0003826650.tif 000099
【図９９】
0003826650.tif 000100
【図１００】
0003826650.tif 000101
【図１０１】
0003826650.tif 000102
【図１０２】
0003826650.tif 000103
【図１０３】
0003826650.tif 000104
【図１０４】
0003826650.tif 000105
【図１０５】
0003826650.tif 000106
【図１０６】
0003826650.tif 000107
【図１０７】
0003826650.tif 000108
【図１０８】
0003826650.tif 000109
【図１０９】
0003826650.tif 000110
【図１１０】
0003826650.tif 000111
【図１１１】
0003826650.tif 000112
【図１１２】
0003826650.tif 000113
【図１１３】
0003826650.tif 000114
【図１１４】
0003826650.tif 000115
【図１１５】
0003826650.tif 000116
【図１１６】
0003826650.tif 000117